(57)【要約】  流体ディスペンサ（10）は、投与室（20）と、ピストン部材（14）と、流体が分配される流体排出口（52）と、投与室から流体を流体排出口に向かって搬送する流体導管（34，46）と、流体排出口を封止する封止部（50，54）とを備え、ピストン部材は、a）投与室に対して相対的に第１方式で移動される場合、流体導管を通じて流体を投与室から流体排出口に向かって送り出し、b）投与室に対して相対的に第２方式で移動される場合、投与室を流体の供給部からの流体で充填するピストンとして投与室内で作用する第１端部（22）を有し、ピストン部材は、投与室の外側に配置され封止部の少なくとも一部を形成する第２端部（42）を有し、封止部は通常の閉鎖状態から開放状態へ移動可能であって、通常の閉鎖状態では、封止部は流体導管と流体排出口との間の流体連通を防止し、開放状態では、封止部は流体導管と流体排出口との間の流体連通を行い、流体ディスペンサは、第１方式によるピストン部材の第１端部の移動が、封止部を通常の閉鎖状態から開放状態へ移動させるのに充分な範囲まで流体導管内の流体を加圧させ、これにより、流体排出口から流体を送り出させることができるように構成されている。ピストン部材の第１端部は、投与室へ出入りする流体の流れを制御する一方向弁（31）を有することができる。流体導管は、ピストン部材、例えばその管内を通って延在する区域（34）を備えることができる。2009538790.tif 000003
2009538790.tif 000002
【特許請求の範囲】
【請求項１】
投与室と、ピストン部材と、流体が分配される流体排出口と、前記投与室から流体を前記流体排出口に向かって搬送する流体導管と、前記流体排出口を封止する封止部とを備える流体ディスペンサであって、
前記ピストン部材は、
a）  前記投与室に対して相対的に第１方式で移動される場合、前記流体導管を通じて流体を前記投与室から前記流体排出口に向かって送り出し、
b）  前記投与室に対して相対的に第２方式で移動される場合、前記投与室を流体の供給部からの流体で充填する
ピストンとして前記投与室内で作用する第１端部を有し、
前記ピストン部材は、前記投与室の外側に配置され前記封止部の少なくとも一部を形成する第２端部を有し、
前記封止部は通常の閉鎖状態から開放状態へ移動可能であって、前記通常の閉鎖状態では、前記封止部は前記流体導管と前記流体排出口との間の流体連通を防止し、前記開放状態では、前記封止部は前記流体導管と前記流体排出口との間の流体連通を行い、
前記第１方式による前記ピストン部材の前記第１端部の移動は、前記封止部を前記通常の閉鎖状態から前記開放状態へ移動させるのに充分な範囲まで前記流体導管内の流体を加圧させ、これにより、前記流体排出口から流体を送り出させることができるように構成されているディスペンサ。
【請求項２】
請求項１に記載のディスペンサにおいて、前記第２方式は前記第１方式の逆であるディスペンサ。
【請求項３】
請求項１又は２に記載のディスペンサにおいて、前記第１方式は、第１方向へ移動することであり、前記第２方式は、第２方向へ移動することであるディスペンサ。
【請求項４】
請求項１〜３のいずれか一項に記載のディスペンサにおいて、前記第１方式及び前記第２方式による前記ピストン部材の前記第１端部の移動は、前記ピストン部材を前記第１方式及び前記第２方式で移動させることにより生じられるディスペンサ。
【請求項５】
請求項１〜４のいずれか一項に記載のディスペンサにおいて、前記封止部は、前記流体排出口を開放又は閉鎖する封止部であるディスペンサ。
【請求項６】
請求項１〜５のいずれか一項に記載のディスペンサにおいて、前記封止部は偏倚力により前記通常の閉鎖状態に偏倚され、前記流体導管内の前記流体の前記加圧は、前記偏倚力に打ち勝つのに充分であるディスペンサ。
【請求項７】
請求項１〜６のいずれか一項に記載のディスペンサにおいて、前記封止部は、前記封止部を形成するために前記ピストン部材の前記第２端部と共働することができる封止部材を備えるディスペンサ。
【請求項８】
請求項７に記載のディスペンサにおいて、前記ピストン部材の前記第２端部と前記封止部材とは封止関係となるように偏倚されるディスペンサ。
【請求項９】
請求項７又は８に記載のディスペンサにおいて、
前記封止部の前記通常の閉鎖状態では、前記封止部材は、前記流体排出口を封止する封止位置に配置され、
前記封止部の前記開放状態では、前記封止部材は、前記流体排出口を封止しない非封止位置に配置され、
前記封止位置と前記非封止位置との間の前記封止部材の移動は前記ピストン部材の前記第２端部により制御される
ように構成されているディスペンサ。
【請求項１０】
請求項１〜９のいずれか一項に記載のディスペンサにおいて、前記流体排出口が形成されている構成要素を有するディスペンサ。
【請求項１１】
請求項１０に記載のディスペンサにおいて、前記ピストン部材の前記第１端部が前記第１方式で移動する場合、前記流体導管に生じた前記流体圧力は前記構成要素と前記ピストン部材との間に相対的な分離移動を生じさせ、これにより、前記封止部を前記通常の閉鎖状態から前記開放状態に移動させるように構成されているディスペンサ。
【請求項１２】
請求項１０又は１１に記載のディスペンサにおいて、前記ピストンの前記第２端部が前記封止部を前記通常の閉鎖状態に維持する封止位置と、前記ピストンの前記第２端部が前記封止部に前記開放状態を採用させることができる非封止位置との間で前記ピストン部材の前記第２端部が前記構成要素に対して相対的に移動するように前記構成要素内に装着されているディスペンサ。
【請求項１３】
請求項１３に記載のディスペンサにおいて、前記第２端部を前記封止位置に配置するように前記ピストン部材の前記第２端部と前記構成要素とは互いに相対的に偏倚されるディスペンサ。
【請求項１４】
請求項１２又は１３に記載のディスペンサにおいて、前記ピストン部材の前記第２端部は前記構成要素内に装着されて前記ピストン部材の前記第２端部と前記構成要素との間に副室を形成し、前記流体導管は前記副室を備え、前記副室は、前記ピストン部材の前記第１端部が前記第１方式で移動する場合に流体圧力が副室に生じ、これにより、前記ピストン部材の前記第２端部を前記封止位置から前記非封止位置へ移動させるように構成されているディスペンサ。
【請求項１５】
請求項１２〜１４のいずれか一項に記載のディスペンサにおいて、前記第１方式による前記移動における第１段階中、前記ピストン部材の前記第２端部は前記構成要素内で前記封止位置にとどまり、前記第１方式による移動における次の第２段階中には前記流体圧力により前記非封止位置に移動することができるディスペンサ。
【請求項１６】
請求項７〜９のいずれか一項に記載のディスペンサにおいて、前記第１方式による前記ピストン部材の前記第１端部の移動における第１段階中、前記封止部材は前記封止位置にあり、前記第１方式による前記ピストン部材の前記第１端部の移動における次の第２段階中には前記非封止位置に移動するように構成されているディスペンサ。
【請求項１７】
請求項１５又は１６に記載のディスペンサにおいて、前記第１段階中、前記流体排出口と前記ピストンの前記第２端部とは一体となって前記投与室に対して相対的に移動し、前記第２段階中、前記流体圧力は、前記流体排出口と前記ピストン部材の前記第２端部との間で相対的な分離移動を生じさせるディスペンサ。
【請求項１８】
請求項１〜１７のいずれか一項に記載のディスペンサにおいて、前記流体導管は前記ピストン部材の本体の中を通るディスペンサ。
【請求項１９】
請求項１８に記載のディスペンサにおいて、前記ピストン部材の前記第１端部はその内部に前記流体導管の注入口を有するディスペンサ。
【請求項２０】
請求項１８又は１９に記載のディスペンサにおいて、前記ピストン部材の前記第２端部はその内部に前記流体導管の少なくとも一つの排出口を有し、使用中、流体は前記少なくとも一つの排出口を通って前記ピストン部材から抜け出るディスペンサ。
【請求項２１】
請求項１４に付随する場合の請求項２０に記載のディスペンサにおいて、前記少なくとも一つの排出口は前記副室内に直接につながっているディスペンサ。
【請求項２２】
請求項１〜２１のいずれか一項に記載のディスペンサにおいて、前記ピストン部材の前記第１端部は前記投与室内で封止的に滑動するように構成されているディスペンサ。
【請求項２３】
請求項１〜２２のいずれか一項に記載のディスペンサにおいて、分配後、前記流体ディスペンサをリセットし、前記投与室を流体で再充填するため、前記ピストン部材は前記第２方式で偏倚されるディスペンサ。
【請求項２４】
請求項１〜２３のいずれか一項に記載のディスペンサにおいて、前記投与室への少なくとも一つの注入口は、前記供給部内の前記流体が前記投与室に流入するように設けられているディスペンサ。
【請求項２５】
請求項１〜２４のいずれか一項に記載のディスペンサにおいて、流体の供給部を備えるディスペンサ。
【請求項２６】
請求項１〜２５のいずれか一項に記載のディスペンサにおいて、前記投与室内での前記ピストン部材の前記第１端部の前記移動により前記投与室と流体連通したり流体連通しなかったりするように前記供給部が選択的に配置されるように構成されているディスペンサ。
【請求項２７】
請求項１〜２６のいずれか一項に記載のディスペンサにおいて、前記投与室は、前記流体排出口から分配する前記流体の投与量を計量する計量室であるディスペンサ。
【請求項２８】
請求項１〜２７のいずれか一項に記載のディスペンサにおいて、動作のたびごとに前記流体排出口から前記流体の投与量を分配するために繰り返し動作するように構成されているディスペンサ。
【請求項２９】
請求項７又は、請求項７に付随する請求項のいずれか一項に記載のディスペンサにおいて、前記第１方式による前記ピストン部材の前記第１端部の前記移動の終了時、前記封止部材と前記ピストン部材の前記第２端部とは再係合のために互いに相対的に移動して前記封止部を前記閉鎖状態に戻すディスペンサ。
【請求項３０】
請求項１〜２９のいずれか一項に記載のディスペンサにおいて、前記第２方式による前記ピストン部材の前記第１端部の移動は前記供給部からの第１体積の流体で前記投与室を充填させ、前記第１方式による前記ピストン部材の前記第１端部の移動は第１段階と、次の第２段階とを含み、前記第１体積に満たない第２体積の流体が前記投与室に残るまで、前記第１段階中の移動は前記第１体積の一部を前記投与室から前記供給部へ送り返し、前記第２段階中の移動は、前記投与室から前記流体導管を通じて前記第２体積の流体を前記流体排出口に向かって送り出すように構成され配置されているディスペンサ。
【請求項３１】
請求項２４に付随する場合の請求項３０に記載のディスペンサにおいて、前記投与室への前記少なくとも一つの注入口は前記第１段階中に開放され、前記第２段階中に閉鎖されるディスペンサ。
【請求項３２】
投与室と、ピストン部材と、流体が分配される流体排出口と、前記投与室から流体を前記流体排出口に向かって運搬する流体導管とを備える流体ディスペンサであって、
前記ピストン部材は、前記投与室内でピストンとして作用する第１端部を有し、前記ピストンは、
a）  前記第１端部が前記投与室に対して相対的に第１方式で移動される場合、前記流体導管を通じて流体を前記投与室から前記流体排出口に向かって送り出し、
b）  前記第１端部が前記投与室に対して相対的に第２方式で移動する場合、前記投与室を流体の供給部からの流体で充填し、
一方向弁は、前記投与室の前記充填を制御するために前記ピストン部材に取り付けられ、前記一方向弁は、前記ピストン部材が前記第１方式で移動される場合に閉鎖され、前記ピストンが前記第２方式で移動される場合に開放されるように構成されているディスペンサ。
【請求項３３】
請求項３２に記載のディスペンサにおいて、前記一方向弁は前記ピストン部材の前記第１端部に取り付けられているディスペンサ。
【請求項３４】
請求項３２又は３３に記載のディスペンサにおいて、前記一方向弁は、流体流れ室と、前記流体流れ室を開閉する移動可能な封止素子とを備え、前記移動可能な封止素子は、前記ピストン部材の前記第１端部が前記第１方式で移動される場合に前記移動可能な封止素子が移動して前記流体流れ室を閉鎖し、前記ピストン部材の前記第１端部が前記第２方式で移動される場合に前記移動可能な封止素子が移動して前記流体流れ室を開放するように構成されているディスペンサ。
【請求項３５】
請求項３４に記載のディスペンサにおいて、前記封止素子は前記ピストン部材と前記投与室との間に封止を形成するディスペンサ。
【請求項３６】
請求項３４又は３５に記載のディスペンサにおいて、前記流体流れ室は、前記封止素子が移動できる第１領域及び第２領域を有し、前記封止素子は前記第１領域に嵌め込まれて前記弁を閉鎖し、前記第２領域に嵌め込まれて前記弁を開放するように構成されているディスペンサ。
【請求項３７】
請求項３４〜３６のいずれか一項に記載のディスペンサにおいて、前記ピストン部材の前記第１端部が前記第１方式で移動する場合、前記封止素子は前記投与室の側壁と前記ピストン部材とに接して封止し、これにより、いかなる流体も前記封止素子の周りに移動することができず、前記ピストン部材の前記第１端部が前記第２方式で移動する場合には前記投与室の側壁と前記ピストン部材との間に空隙を残し、これにより、流体を前記封止素子の周りに移動させることができるディスペンサ。
【請求項３８】
請求項３７に記載のディスペンサにおいて、前記空隙は、（i）前記封止素子と前記ピストン部材との間、及び（ii）前記封止素子と前記投与室の側壁との間の少なくとも一つに形成されているディスペンサ。
【請求項３９】
請求項３４〜３８のいずれか一項に記載のディスペンサにおいて、前記ピストン部材の前記第１端部が前記投与室に対して相対的に移動することにより前記封止素子は移動するように構成されているディスペンサ。
【請求項４０】
請求項３４〜３９のいずれか一項に記載のディスペンサにおいて、前記封止素子は、（i）前記ピストン部材の前記第１端部が前記投与室から流体を送り出すため、前記第１方式で前記投与室に対して相対的に移動することにより、前記封止素子を前記第２方式で前記ピストン部材に対して相対的に移動させて前記一方向弁を閉鎖させ、（ii）前記ピストン部材の前記第１端部が前記投与室を充填するため、前記第２方式で前記投与室に対して相対的に移動することにより、前記封止素子を前記第１方式で前記ピストン部材に対して相対的に移動させて前記一方向弁を開放させるように構成されているディスペンサ。
【請求項４１】
請求項３２〜４０のいずれか一項に記載のディスペンサにおいて、前記投与室への少なくとも一つの注入口は前記投与室を充填するために設けられ、前記少なくとも一つの注入口は前記投与室の壁に設けられ、これにより、前記少なくとも一つの注入口の一方側に前記投与室の第１領域が配置され、前記少なくとも一つの注入口の他方側に前記投与室の第２領域が配置され、前記ピストン部材は、前記ピストン部材の前記第１端部が（i）前記第１方式で移動中に前記第１領域から前記第２領域にかけて前記少なくとも一つの注入口を通過し、かつ（ii）前記第２方式で移動中に前記第２領域から前記第１領域にかけて前記少なくとも一つの注入口を通過するように前記ディスペンサに装着され、前記ピストン部材の前記第１端部が前記第２方式で移動する間、前記少なくとも一つの注入口を通過して前記第１領域に入る前に前記一方向弁は開放されて、前記一方向弁を通じて前記少なくとも一つの注入口から流体を前記投与室の前記第２領域へ流し込むことができるように構成されているディスペンサ。
【請求項４２】
請求項４１に記載のディスペンサにおいて、前記ピストン部材の前記第１端部が前記第１領域から前記第２領域へ前記第１方式で移動している場合、前記ピストン部材の前記第１端部が前記少なくとも一つの注入口を通過した後、前記一方向弁を閉鎖し続け、これにより、前記投与室内の流体が前記投与室から前記少なくとも一つの注入口を通って抜け出ることができないように構成されているディスペンサ。
【請求項４３】
請求項４１又は４２に記載のディスペンサにおいて、
前記ピストン部材の前記第１端部は、（i）前記第１方式で前記投与室の第１位置から前記投与室の第２位置へ移動することができ、（ii）前記第２方式で前記第２位置から前記第１位置へ移動することができ、
前記第１端部が前記第１方式で前記第１位置から前記第２位置に向かって移動する場合、前記一方向弁が前記投与室と前記少なくとも一つの注入口との間の流体連通を閉鎖する第３位置に前記第１端部が移動するまで、前記投与室内の流体は前記投与室から前記少なくとも一つの注入口を通って送り出され、
前記第１端部が前記第１方式で前記第３位置から前記第２位置へ移動する場合、前記投与室に残った前記流体は前記流体導管を通じて前記流体排出口に向かって送り出され、
前記ピストン部材の前記第１端部が前記第２位置から前記第１位置へ移動する場合、流体は前記少なくとも一つの注入口を通って前記投与室を充填する
ように構成され配置されているディスペンサ。
【請求項４４】
投与室と、ピストン部材と、流体が分配される流体排出口と、前記投与室から流体を前記流体排出口に向かって搬送する流体導管とを備える流体ディスペンサであって、
前記ピストン部材は、
a）  前記投与室に対して相対的に第１方式で移動される場合、前記流体導管を通じて流体を前記投与室から前記流体排出口に向かって送り出し、
b）  前記投与室に対して相対的に第２方式で移動される場合、前記投与室を流体の供給部からの流体で充填する
ピストンとして前記投与室内で作用する第１端部を有し、
前記流体導管は、前記第１端部内の注入口から前記ピストン部材の中を通って、前記第１端部から離間された位置にある前記ピストン部材内の排出口までの範囲を有するディスペンサ。
【請求項４５】
使用中に流体が分配される流体排出口と、前記流体排出口を封止する封止部であって、前記封止部は通常の閉鎖状態から開放状態へ移動可能であり、前記通常の閉鎖状態では流体が前記流体排出口から分配されないようにし、前記開放状態では前記流体排出口から流体を分配するように前記流体排出口を開放する封止部と、通常の第１位置と第２位置との間で移動可能である部材であって、前記通常の第１位置では前記封止部に作用して前記封止部を前記閉鎖状態に配置し、前記第２位置では前記封止部を前記開放状態に移動させることができる部材とを有する流体ディスペンサであって、前記流体ディスペンサの作動に応答して前記部材が前記第１位置から前記第２位置へ移動するように構成されている流体ディスペンサ。
【請求項４６】
請求項４５に記載の流体ディスペンサにおいて、前記部材はピストン部材である流体ディスペンサ。
【請求項４７】
請求項４５又は４６に記載の流体ディスペンサにおいて、前記部材は自由端を有し、前記第１位置では、前記自由端は前記封止部を押圧して前記封止部を前記流体排出口と封止的に係合させるように押し込む流体ディスペンサ。
【請求項４８】
請求項４５〜４７のいずれか一項に記載の流体ディスペンサにおいて、前記封止部は、通常の状態を有する弾性素子であり、前記閉鎖状態は前記封止部の非通常の状態であり、前記封止部は前記通常の状態に戻って前記閉鎖状態から前記開放状態へ移動する流体ディスペンサ。
【請求項４９】
請求項４８に記載の流体ディスペンサにおいて、前記部材は前記第１位置にある場合に前記封止部を前記非通常の状態に保持する流体ディスペンサ。
【請求項５０】
請求項４５〜４９のいずれか一項に記載の流体ディスペンサにおいて、前記封止部を前記通常の閉鎖状態に偏倚する偏倚機構を備える流体ディスペンサ。
【請求項５１】
請求項５０に記載の流体ディスペンサにおいて、前記偏倚機構は前記部材を前記第１位置に偏倚する流体ディスペンサ。
【請求項５２】
請求項４５〜５１のいずれか一項に記載の流体ディスペンサにおいて、作動中、前記ディスペンサ内の液体を加圧して前記閉鎖状態から前記開放状態に前記封止部を移動させるように構成されている流体ディスペンサ。
【請求項５３】
請求項５２に記載の流体ディスペンサにおいて、前記加圧された液体は、前記第１位置から前記第２位置に前記部材を移動させる作用をするように構成されている流体ディスペンサ。
【請求項５４】
請求項５０に付随する場合の請求項５２又は５３に記載の流体ディスペンサにおいて、作動中、前記液体を、前記偏倚機構の偏倚力よりも大きい力まで加圧するように構成されている流体ディスペンサ。
【請求項５５】
流体ディスペンサであって、前記流体ディスペンサは、投与室と、ピストン部材と、流体が分配される流体排出口と、前記ディスペンサの一部分から前記ディスペンサの別の部分へ流体を搬送する流体導管とを備え、
前記ピストン部材は、
c）  前記投与室に対して相対的に第１方式で移動される場合、流体を前記投与室から前記流体排出口に向かって送り出し、
d）  前記投与室に対して相対的に第２方式で移動される場合、前記投与室を流体の供給部からの流体で充填する
ピストンとして前記投与室内で作用し、
前記ピストン部材が前記投与室内で移動する間、前記流体導管は流体を搬送するように前記ピストン部材内に配置されている流体ディスペンサ。
【請求項５６】
添付図面の図１〜４又は図５〜１４又は図１５，１６又は図１７〜２０又は図２１に例示され、これらを参照して詳述された流体ディスペンサ。
【発明の詳細な説明】
【技術分野】
【０００１】
関連出願
本願は、2006年5月30日に出願の英国特許出願第０６１０６６６．０号から優先権を主張するものであり、その内容全体は参照することにより本明細書に組み込まれる。
【０００２】
本発明は、流体ディスペンサ、例えば鼻スプレー用流体ディスペンサに関し、限定するものではないが、特に薬物投与用流体ディスペンサに関する。
【背景技術】
【０００３】
従来技術の流体ディスペンサ、例えば、流体を鼻腔内へ分配する流体ディスペンサは、米国特許出願公開第２００５／０２３６４３４号及び国際公開第２００５／０７５１０３号から既知である。これらオリジナルの開示内容全体（及びそれらの特許ファミリーメンバー）は参照するものとして本明細書に組み込まれる。これらのディスペンサは、流体貯蔵部と、排出口と、貯蔵部から流体を、排出口を通じて送り出すポンプとを備える。排出口はノズルに設けられており、ノズルを鼻孔内に配置するように形状化し寸法設定することができる。ディスペンサが流体の計量体積を分配するようになっている場合、ディスペンサは計量室を更に備え、計量室は、少なくとも一つの計量室注入口を介して貯蔵部と流体連通し、かつ排出口と流体連通するように選択的に配置される。計量室が計量体積よりも大きい第１体積を有する拡張状態と、収縮状態との間で計量室を移動させるようにポンプが往復運動する。ディスペンサは、「閉弁」位置に偏倚された一方向弁を計量室と排出口との間に更に備える。計量室が収縮状態から拡張状態へ移動すると、計量室及び貯蔵部は少なくとも一つの注入口を介して流体連通するように配置され、流体は貯蔵部から計量室内へ引き込まれて流体の追加の体積で計量室を充填する。計量室が拡張状態から収縮状態へ移動する間、初期流出段階において、計量室内に流体の計量体積を残すように計量室内の流体の過剰な体積が少なくとも一つの注入口を介して貯蔵部へ送り返される。計量室を収縮状態に戻す最終分配段階では、計量室内の流体の計量体積は一方向弁に向かって送り出され、これにより、流体内に生じた増加圧力は、計量体積を排出口から送り出すことができるように一方向弁を一時的に開放させる。
【発明の概要】
【発明が解決しようとする課題】
【０００４】
本発明の目的は、米国特許出願公開第２００５／０２３６４３４号及び国際公開第２００５／０７５１０３号に開示されたポンプ原理を任意選択的に組み込む新規の流体ディスペンサを提供することである。
【課題を解決するための手段】
【０００５】
本発明の第１側面によれば、投与室と、ピストン部材と、流体が分配される流体排出口と、投与室から流体を流体排出口に向かって搬送する流体導管と、流体排出口を封止する封止部とを備える流体ディスペンサであって、
ピストン部材は、
a）  投与室に対して相対的に第１方式で移動される場合、流体導管を通じて流体を投与室から流体排出口に向かって送り出し、
b）  投与室に対して相対的に第２方式で移動される場合、投与室を流体の供給部からの流体で充填する
ピストンとして投与室内で作用する第１端部を有し、
ピストン部材は、投与室の外側に配置され封止部の少なくとも一部を形成する第２端部を有し、
封止部は通常の閉鎖状態から開放状態へ移動可能であって、通常の閉鎖状態では、封止部は流体導管と流体排出口との間の流体連通を防止し、開放状態では、封止部は流体導管と流体排出口との間の流体連通を行い、
第１方式によるピストン部材の第１端部の移動は、封止部を通常の閉鎖状態から開放状態へ移動させるのに充分な範囲まで流体導管内の流体を加圧させ、これにより、流体排出口から流体を送り出させることができるように構成されている流体ディスペンサを提供する。
【０００６】
好ましくは、第２方式は第１方式の逆である。
【０００７】
好ましくは、第１方式は、第１方向へ移動することであり、第２方式は、第２方向へ移動することである。
【０００８】
好ましくは、第１方式及び第２方式によるピストン部材の第１端部の移動を、ピストン部材を第１方式及び第２方式で移動させることにより生じさせる。
【０００９】
例えば、ピストン部材が投与室内で正反対の第１方向及び第２方向にストロークするように装着されることにより、第１方式と第２方式との間で往復運動するようにピストン部材を装着するのが好ましい。
【００１０】
好ましくは、第２方式によるピストン部材の第１端部の前記移動は流体を流体供給部から投与室内へ引き入れる。
【００１１】
好ましくは、偏倚力により封止部を通常の閉鎖状態に偏倚し、流体導管内の流体の加圧は、偏倚力に打ち勝つのに充分である。好ましくは、偏倚部材、一般的にはばねにより、封止部を通常の閉鎖状態に偏倚する。
【００１２】
好ましくは、ピストン部材の第２端部を栓として構成して流体排出口を封止的にふさぐことにより封止部を通常の閉鎖状態にする。
【００１３】
好ましくは、封止部は、封止部を形成するためにピストン部材の第２端部と共働することができる封止部材を備える。
【００１４】
封止部材は流体排出口の周辺部とされ、又は、この周辺部を形成することができ、この場合、ピストン部材の第２端部はこの周辺部と封止的に係合するのが好ましい。封止部材を環状（例えば、Ｏリング）とすることができる。
【００１５】
好ましくは、封止部は、流体排出口を開放又は閉鎖する封止部である。或いはまた、ピストン部材内の開口部又はポートを開放又は閉鎖するように封止部を構成することができる。
【００１６】
好ましくは、封止部材は、封止部材中を通って延在する孔を有する。好ましくは、封止部が開放されている場合、流体はこの孔を流通する。好ましくは、孔を流体排出口と整列させる。より好ましくは、孔を流体排出口と整列させるのみならず、接触もさせる。孔を流体排出口の一体部分とすることができる。
【００１７】
例えば、封止部材内の孔を閉鎖し封止するために、ピストン部材の第２端部と封止部材とを封止関係となるように偏倚するのが好ましい。例えばピストン部材及び／又は封止部材に作用する偏倚部材、例えばばねにより偏倚を生じさせることができる。
【００１８】
好ましくは、封止部の通常の閉鎖状態では、流体排出口を封止する封止位置に封止部材を配置し、封止部の開放状態では、流体排出口を封止しない非封止位置に封止部材を配置し、封止位置と非封止位置との間の封止部材の移動をピストン部材の第２端部により制御するようにディスペンサを構成する。
【００１９】
好ましくは、封止部材はＯリング、弾性管又は弾性パッドである。
【００２０】
好ましくは、ディスペンサは、流体排出口が形成されている構成要素を有する。
【００２１】
好ましくは、ピストン部材の第１端部が第１方式で移動する場合、流体導管に生じた流体圧力は構成要素とピストン部材との間に相対的な分離移動を生じさせ、これにより、封止部を通常の閉鎖状態から開放状態に移動させるようにディスペンサを構成する。
【００２２】
好ましくは、ピストンの第２端部が封止部を通常の閉鎖状態に維持する封止位置と、ピストンの第２端部が封止部に開放状態を採用させることができる非封止位置との間でピストン部材の第２端部が構成要素に対して相対的に移動するようにピストン部材の第２端部を構成要素内に装着する。
【００２３】
好ましくは、第２端部を封止位置に配置するようにピストン部材の第２端部と構成要素とを互いに相対的に偏倚する。一つ以上の偏倚部材により、例えば一つ以上のばねにより偏倚を生じさせることができる。（一つ以上の）偏倚部材はピストン部材及び／又は構成要素に作用することができる。
【００２４】
好ましくは、ピストン部材の第２端部が非封止位置にある場合、封止位置と比較して流体排出口からより遠くにピストン部材の第２端部を隔置する。
【００２５】
好ましくは、ピストン部材の第２端部を構成要素内に装着してピストン部材の第２端部と構成要素との間に副室を形成し、流体導管は副室を備え、ピストン部材の第１端部が第１方式で移動する場合に流体圧力を副室に生じさせ、これにより、ピストン部材の第２端部を封止位置から非封止位置へ移動させるように副室を構成する。流体圧力はピストン部材及び／又は構成要素を強制的に移動させることができる。
【００２６】
好ましくは、第１方式によるピストン部材の第１端部の移動中、構成要素は投与室に対して相対的に移動する。
【００２７】
好ましくは、第１方式による前記移動における第１段階中、ピストン部材の第２端部は構成要素内で封止位置にとどまり、第１方式による移動における次の第２段階中には流体圧力により非封止位置に移動することができる。
【００２８】
好ましくは、第１方式によるピストン部材の第１端部の移動における第１段階中、封止部材は封止位置にあり、第１方式によるピストン部材の第１端部の移動における次の第２段階中には非封止位置に移動するように流体ディスペンサを構成する。好ましくは、第１段階中、流体排出口とピストンの第２端部とは一体となって投与室に対して相対的に移動し、第２段階中、流体圧力は、流体排出口とピストン部材の第２端部との間で相対的な分離移動を生じさせる。
【００２９】
好ましくは、流体導管が投与室から流体分配室へ延在し、流体分配室を、前述した副室とすることができる。この流体分配室と投与室との間の流体連通路を開閉するように封止部を設けることができる。しかし、好適な構成では、この流体分配室と流体排出口との間の流体連通路を開閉するように封止部が設けられている。
【００３０】
好ましくは、流体導管はピストン部材の本体の中を通る。好ましくは、流体導管はピストン部材の中央を通る。
【００３１】
好ましくは、ピストン部材は、長手方向軸を有する管である。
【００３２】
好ましくは、ピストン部材の第１端部はその内部に入口孔を有する。好ましくは、この入口孔は投与室の中央にほぼ面する。入口孔は、流体排出口に向かって送り出すための流体を投与室から受け取るようになっている。
【００３３】
好ましくは、ピストン部材の第１端部の端面（底端部）に入口孔を設ける。より好ましくは、入口孔はこの端部の中心にある。
【００３４】
好ましくは、ピストン部材の第２端部はその内部に出口孔を有し、使用中、流体は出口孔を通ってピストン部材から抜け出る。好ましくは、この出口孔は永続的に開口している。
【００３５】
好ましくは、出口孔は流体分配室内に直接につながっている。
【００３６】
封止部が閉鎖されている場合に出口孔を封止するように出口孔を封止部材と関連付けることができる。
【００３７】
好ましくは、ピストン部材は細長く、ピストン部材のほぼ全長に沿って流体導管が延在する。
【００３８】
好ましくは、ピストン部材の第２端部の表面（最上端部）は閉口している。しかし、この最上端部に出口孔を配置するのが依然として好ましく、例えば、出口孔は最上端部から横方向へ延在し、すなわち、出口孔は側面ポートである。
【００３９】
２つ以上の出口孔又は側面ポートが存在しうる。
【００４０】
好ましくは、ピストン部材の第２端部にニップルを設け、例えば、流体分配室内に配置する。好ましくは、このニップルに（一つ以上の）出口孔を設ける。より好ましくは、流体分配室の中央にニップルを配置する。渦室はこのニップルを取り囲むことができる。流体が分配されている間、渦室は流体をニップルの周りで旋回させることができ、これにより、流体は高速で分配され、その際、流体を細かい霧状で、又は、細かくなった噴霧粒子で分配する。
【００４１】
好ましくは、流体分配室は、ピストン部材内の流体導管を介して投与室と流体連通する。前述したように、この流体連通を永続的に開放することができ、又は、封止部により閉鎖することができる。
【００４２】
好ましくは、ピストン部材の第２端部は、流体分配室内でピストンとして作用する領域を有する。ピストン部材の第２端部のこの領域を流体分配室の一部分内に配置することができ、この部分は円筒状とすることができ、及び／又は一定の断面を有することができる。
【００４３】
好ましくは、ピストン部材の第１端部は、投与室内でピストンとして作用する領域を有する。ピストン部材の第１端部のこの領域を投与室の一部分内に配置することができ、この部分は一定の断面を有することができ、及び／又は円筒状とすることができる。
【００４４】
ピストン部材の第１端部を投与室の側壁に接して、特に投与室の前記部分に接して封止的に滑動させ、及び／又は、ピストン部材の第２端部を流体分配室の側壁に接して、特に流体分配室の前記部分に接して封止的に滑動させることができるように封止部材を設けるのが好ましい。好ましくは、（一つ以上の）封止部材は、ピストン部材の外面の溝に嵌め込まれたＯリングである。しかし、（一つ以上の）封止部材を、ピストン部材の外側に形成された（一つ以上の）一体封止部とすることができ、又は、ピストン部材に溶接されたか、接着されたか、又は別の方法で取り付けられた（一つ以上の）別個の封止部とすることができる。
【００４５】
分配後その都度、流体ディスペンサをリセットし、投与室を流体で再充填するため、例えば、投与室からピストン部材を引き出すように第２方式で偏倚するのが好ましい。好ましくは、この偏倚をばねにより生じさせる。この偏倚は、封止部を閉鎖するためにピストン部材の第２端部と封止部材とを係合させる偏倚力をも生じさせることができる。封止部を閉鎖するためにピストン部材の第２端部と封止部材とを係合させる偏倚力を別個のばねによっても生じさせることができる。
【００４６】
好ましくは、第１方式及び第２方式は、ピストン部材が投与室に対して相対的に直線移動することである。
【００４７】
好ましくは、流体ディスペンサは、ユーザの鼻孔に挿入するノズルを備える。例えば押し込み式又はスナップ式を用いて、ノズルを流体ディスペンサから取り外すことができる。これにより、衛生上の理由からノズルを洗浄及び／又は取り換えることができる。
【００４８】
好ましくは、ノズル内に流体排出口を形成する。より好ましくは、ノズルの外側端部に流体排出口を形成する。この場合も、改善された衛生状態を可能にするため、このノズル上で取り換え可能なノズルを受け取るようにこのノズルを構成することもできる。
【００４９】
一体型部品又は複数構成部品としてノズルを形成することができる。
【００５０】
流体排出口をノズルの構成要素（「ノズル構成要素」）内に位置付けることができる。好ましくは、ノズル構成要素は流体分配室を規定する。好ましくは、ノズル構成要素はピストン部材の第２端部を受け取る。好ましくは、封止部を閉鎖するためのピストン部材の第２端部と封止部材との係合をノズル構成要素への偏倚力により生じさせる。その後、ピストン部材の第１端部が第１方式で移動することにより生じる流体の加圧は、ノズル構成要素をピストン部材の第２端部から遠ざけて封止部を開放状態にする。この場合、流体排出口にピストン部材の第２端部、例えば第２端部のニップルが係合することにより封止部を形成することができる。
【００５１】
好ましくは、ノズル構成要素への偏倚力は、第２方式でピストン部材の第１端部を偏倚するピストン部材への偏倚力よりも小さい。
【００５２】
好ましくは、流体の供給部から投与室内へ流体を移動するために第２の流体導管を設ける。第２の流体導管が不要となるか、又は極めて短くなるように流体の供給部を投与室に隣接して装着することができる。
【００５３】
好ましくは、供給部内の流体が投与室に流入するように投与室への少なくとも一つの注入口を設ける。
【００５４】
好ましくは、流体ディスペンサは、例えば流体貯蔵部の形態をとる流体の供給部を備える。容器内に供給部を含めることができる。容器に通気孔を設けても設けなくてもよく、容器は、例えば可変の内部体積を有し、例えば、容器から取り出される流体に応じて、例えば移動可能なプランジャを有することにより収縮可能である。
【００５５】
好ましくは、投与室内でのピストン部材の第１端部の移動により投与室と流体連通したり流体連通しなかったりするように第２の流体導管を選択的に配置するように構成する。このことを、例えばピストン部材に取り付けられた弁を用いて達成することができる。
【００５６】
好ましくは、投与室は、流体排出口から分配する流体の投与量を計量する計量室である。
【００５７】
好ましくは、動作のたびごとに流体排出口から流体の投与量を分配するために繰り返し動作するように流体ディスペンサを構成する。このため、供給部は、複数の投与量の流体を含む供給部であるのが好ましい。
【００５８】
好ましくは、第１端部が投与室の端壁に接触した時に第１方式によるピストン部材の第１端部の移動が終了するように流体ディスペンサを構成する。
【００５９】
好ましくは、第１方式によるピストン部材の第１端部の移動の終了時、封止部材はピストン部材の第２端部との再係合のためにピストン部材の第２端部に対して相対的に移動して封止部を閉鎖状態に戻す。
【００６０】
好ましくは、第２方式によるピストン部材の第１端部の移動は供給部からの第１体積の流体で投与室を充填させ、第１方式によるピストン部材の第１端部の移動は第１段階と、次の第２段階とを含み、第１体積に満たない第２体積の流体が投与室に残るまで、第１段階中の移動は第１体積の一部を投与室から供給部へ送り返し、第２段階中の移動は、投与室から流体導管を通じて第２体積の流体を流体排出口に向かって送り出すように流体ディスペンサを構成し配置する。
【００６１】
好ましくは、投与室への少なくとも一つの注入口を第１段階中に開放し、第２段階中に閉鎖する。
【００６２】
投与室が計量室である場合、第２体積は計量体積である。
【００６３】
本発明の第２側面によれば、投与室と、ピストン部材と、流体が分配される流体排出口と、投与室から流体を流体排出口に向かって運搬する流体導管とを備える流体ディスペンサであって、
ピストン部材は、投与室内でピストンとして作用する第１端部を有し、ピストンは、
a）  第１端部が投与室に対して相対的に第１方式で移動される場合、流体導管を通じて流体を投与室から流体排出口に向かって送り出し、
b）  第１端部が投与室に対して相対的に第２方式で移動する場合、投与室を流体の供給部からの流体で充填し、
一方向弁は、投与室の充填を制御するためにピストン部材に取り付けられ、一方向弁は、ピストン部材が第１方式で移動される場合に閉鎖され、ピストンが第２方式で移動される場合に開放されるように構成されている流体ディスペンサを提供する。
【００６４】
好ましくは、一方向弁をピストン部材の第１端部に取り付ける。
【００６５】
好ましくは、一方向弁は、流体流れ室と、流体流れ室を開閉する移動可能な封止素子とを備え、ピストン部材の第１端部が第１方式で移動される場合に移動可能な封止素子が移動して流体流れ室を閉鎖し、ピストン部材の第１端部が第２方式で移動される場合に封止素子が移動して移動可能な流体流れ室を開放するように移動可能な封止素子を構成する。
【００６６】
好ましくは、封止素子を流体流れ室内に移動可能に装着する。その後、投与室内でピストン部材の第１端部が移動する方式に応じて、封止素子は室内の開放位置と閉鎖位置との間で移動することができる。
【００６７】
好ましくは、封止素子はピストン部材と投与室との間に封止を形成する。
【００６８】
封止素子は封止リングであるのが好ましく、任意選択的には、ピストン部材を取り囲む溝に装着されている。
【００６９】
好ましくは、流体流れ室は、封止素子が移動できる第１領域及び第２領域を有し、封止素子が第１領域に嵌め込まれて弁を閉鎖し、第２領域に嵌め込まれて弁を開放するように封止素子を構成する。
【００７０】
好ましくは、ピストン部材の第１端部が第１方式で移動する場合に封止素子は投与室の側壁とピストン部材とに接して封止し、これにより、いかなる流体も封止素子の周りに移動することができず、ピストン部材の第１端部が第２方式で移動する場合に封止素子は投与室の側壁とピストン部材との間に空隙を残し、これにより、流体を封止素子の周りに移動させることができる。
【００７１】
好ましくは、第１端部が第１方式で移動する場合に封止素子は流体流れ室（例えば、流体流れ室の第１領域）に接して封止し、第１端部が第２方式で移動する場合に封止素子は流体流れ室（例えば、流体流れ室の第２領域）と投与室の側壁との間に空隙を残す。
【００７２】
好ましくは、（i）封止素子とピストン部材との間（例えば流体流れ室、特に流体流れ室の第２領域）、及び（ii）封止素子と投与室の側壁との間の少なくとも一つに空隙を形成する。
【００７３】
好ましくは、流体流れ室は、ピストン部材の第１端部を取り囲む溝である。
【００７４】
好ましくは、封止素子は封止リングであり、例えば、溝に装着されている。
【００７５】
好ましくは、この溝は円周環状溝であり、より好ましくは、この溝の環状領域とすることができる第１領域及び第２領域を備える。
【００７６】
好ましくは、封止リングはＯリングである。
【００７７】
好ましくは、ピストン部材が投与室の側壁に対して相対的に移動することにより封止素子が移動するように封止素子を構成する。
【００７８】
好ましくは、（i）ピストン部材が投与室から流体を送り出すため、第１方式で投与室に対して相対的に移動することにより、封止素子を第２方式でピストン部材に対して相対的に移動させて一方向弁を閉鎖させ、（ii）ピストン部材が投与室を充填するため、第２方式で投与室に対して相対的に移動することにより、封止素子を第１方式でピストン部材に対して相対的に移動させて一方向弁を開放させるように封止素子を構成する。
【００７９】
好ましくは、ピストン部材は、ピストン部材と一緒に第１方式及び第２方式で移動するように一方向弁を運搬する。
【００８０】
好ましくは、投与室を充填するために投与室への少なくとも一つの注入口を設け、少なくとも一つの注入口の一方側に投与室の第１領域が配置され、少なくとも一つの注入口の他方側に投与室の第２領域が配置されるように少なくとも一つの注入口を投与室の壁に設け、ピストン部材の第１端部が（i）第１方式で移動中に第１領域から第２領域にかけて少なくとも一つの注入口を通過し、かつ（ii）第２方式で移動中に第２領域から第１領域にかけて少なくとも一つの注入口を通過するようにピストン部材をディスペンサに装着し、ピストン部材の第１端部が第２方式で移動する間、少なくとも一つの注入口を通過して第１領域に入る前に一方向弁が開放されて、一方向弁を通じて少なくとも一つの注入口から流体を投与室の第２領域へ流し込むことができるように一方向弁を構成する。
【００８１】
好ましくは、ピストン部材の第１端部が第１領域から第２領域へ第１方式で移動している場合、ピストン部材の第１端部が少なくとも一つの注入口を通過した後、一方向弁を閉鎖し続け、これにより、投与室内の流体が投与室から少なくとも一つの注入口を通って抜け出ることができないように一方向弁を構成する。
【００８２】
好ましくは、封止素子は、一方向弁を開閉するように動作する。
【００８３】
好ましくは、封止素子は投与室と、例えば投与室の壁上で係合する。特に、ピストン部材の第１端部が第１方式で移動する間、投与室上で封止素子を滑動移動するように、例えば封止的に滑動移動するように封止素子を配置するのが好ましい。
【００８４】
好ましくは、ピストン部材の第１端部は、（i）第１方式では、投与室に位置する第１位置から投与室の第２位置へ移動することができ、（ii）第２方式では第２位置から第１位置へ移動することができ、
第１端部が第１方式で第１位置から第２位置に向かって移動する場合、一方向弁が投与室と少なくとも一つの注入口との間の流体連通を閉鎖する第３位置に第１端部が移動するまで、投与室内の流体は投与室から少なくとも一つの注入口を通って送り出され、
第１端部が第１方式で第３位置から第２位置に移動する場合、投与室に残った流体は流体導管を通じて流体排出口に向かって送り出され、
ピストン部材の第１端部が第２位置から第１位置に移動する場合、流体は少なくとも一つの注入口を通って投与室を充填するようにディスペンサを構成し配置する。
【００８５】
好ましくは、第２位置においてピストン部材の第１端部は投与室の端壁に接触する。
【００８６】
一方向弁は、第１の溝と流体連通し、かつ投与室内に通じる第２の溝をピストン部材の第１端部に更に備えることができる。好ましくは、この第２の溝は、円周方向ではない環状溝である。すなわち、この第２の溝は、ピストン部材の第１端部の側壁内にあるというよりはむしろピストン部材の第１端部の端面内にある。好ましくは、第１の溝と第２の溝との間の流体連通を二つの溝間の断続的なスロット又は孔によって達成する。単一の孔でも充分である。或いはまた、第１及び第２の溝は、統一された溝を形成することができる。
【００８７】
好ましくは、移動可能な封止素子の移動は、ピストン部材の軸線にほとんど平行である方向に生じる。
【００８８】
好ましくは、第１領域は第１深さを有し、第２領域は、第１深さよりも深い第２深さを有する。
【００８９】
好ましくは、第１領域を第２領域に比べてピストン部材の第１端部から遠くに隔置する。
【００９０】
好ましくは、第１領域及び第２領域をピストン部材上の円周方向に向ける。
【００９１】
好ましくは、傾斜は二つの領域間で深さを移行する。傾斜を直線傾斜とすることができる。代替例として、傾斜は凸面をなすことができる。別の代替構成は、二つの領域の一方が、（二つの領域の他方に応じて）深い基部か、又は浅い基部のどちらかを生じさせる傾斜を含む平坦な基部を有するようになっている。
【００９２】
本発明の第３側面では、投与室と、ピストン部材と、流体が分配される流体排出口と、投与室から流体を流体排出口に向かって搬送する流体導管とを備える流体ディスペンサであって、
ピストン部材は、
a）  投与室に対して相対的に第１方式で移動される場合、流体導管を通じて流体を投与室から流体排出口に向かって送り出し、
b）  投与室に対して相対的に第２方式で移動される場合、投与室を流体の供給部からの流体で充填する
ピストンとして投与室内で作用する第１端部を有し、
流体導管は、第１端部内の注入口からピストン部材中を通って、第１端部から離間された位置にあるピストン部材内の排出口までの範囲を有する流体ディスペンサを提供する。
【００９３】
本発明の各側面は、（i）本発明の他の側面、（ii）特許請求の範囲、又は（iii）添付図面を参照して説明した例示的な実施形態の更なる特徴のいずれをも備えることもできる。
【００９４】
本発明のこれらの側面及び特徴、並びにその他の側面及び特徴は、添付図面を参照して次に説明する例示的な実施形態から理解される。
【図面の簡単な説明】
【００９５】
【図１】本発明の一側面を実施する流体ディスペンサで行う操作上の工程を示す概略図である。
【図２】本発明の一側面を実施する流体ディスペンサで行う操作上の工程を示す概略図である。
【図３】本発明の一側面を実施する流体ディスペンサで行う操作上の工程を示す概略図である。
【図４】本発明の一側面を実施する流体ディスペンサで行う操作上の工程を示す概略図である。
【図５】本発明の流体ディスペンサに用いられる代替の封止構成を示す図である。
【図６】本発明の流体ディスペンサに用いられる代替の封止構成を示す図である。
【図７】本発明の流体ディスペンサに用いられる代替の封止構成を示す図である。
【図８】本発明の流体ディスペンサに用いられる代替の封止構成を示す図である。
【図９】本発明の好適な実施形態を組立るための方法を示す図である。
【図１０】本発明の好適な実施形態を組立るための方法を示す図である。
【図１１】本発明の好適な実施形態を組立るための方法を示す図である。
【図１２】本発明の好適な実施形態を組立るための方法を示す図である。
【図１３】本発明の好適な実施形態を組立るための方法を示す図である。
【図１４】本発明の好適な実施形態を組立るための方法を示す図である。
【図１５】本発明に用いられる別の代替の封止構成を示す図である。
【図１６】本発明に用いられる別の代替の封止構成を示す図である。
【図１７】別の代替の封止構成を特徴とする本発明の別の実施形態で行う操作上の工程を示す図である。
【図１８】別の代替の封止構成を特徴とする本発明の別の実施形態で行う操作上の工程を示す図である。
【図１９】別の代替の封止構成を特徴とする本発明の別の実施形態で行う操作上の工程を示す図である。
【図２０】別の代替の封止構成を特徴とする本発明の別の実施形態で行う操作上の工程を示す図である。
【図２１】本発明の更なる別の代替の封止構成を示す図である。
【図２２Ａ】更なる流体ディスペンサの斜視側面図であって、完全に拡張された（開放）位置にある流体ディスペンサを示す図である。
【図２２Ｂ】更なる流体ディスペンサの斜視側面図であって、休止位置にある流体ディスペンサを示す図である。
【図２２Ｃ】更なる流体ディスペンサの斜視側面図であって、発射位置にある流体ディスペンサを示す図である。
【図２３Ａ】図２２Ａ〜Ｃの流体ディスペンサの組立てを示す図である。
【図２３Ｂ】図２２Ａ〜Ｃの流体ディスペンサの組立てを示す図である。
【図２３Ｃ】図２２Ａ〜Ｃの流体ディスペンサの組立てを示す図である。
【図２４Ａ】完全に拡張された位置にある図２２Ａの流体ディスペンサの断面側面図である。
【図２４Ｂ】休止位置にある図２２Ｂの流体ディスペンサの断面側面図である。
【図２４Ｃ】発射位置にある図２２Ｃの流体ディスペンサの断面側面図である。
【図２５】先端封止構成を示す図２２〜図２４の流体ディスペンサのノズル領域の拡大断面図である。
【図２６Ａ】図２２〜図２５の流体ディスペンサのピストン部材の側面図である。
【図２６Ｂ】図２２〜図２５の流体ディスペンサのピストン部材の断面側面図である。
【図２７Ａ】図２６Ａ〜Ｂのピストン部材に装着する図２２〜図２５の流体ディスペンサの後方封止素子の斜視側面図である。
【図２７Ｂ】図２６Ａ〜Ｂのピストン部材に装着する図２２〜図２５の流体ディスペンサの後方封止素子の断面側面図である。
【図２８Ａ】図２６Ａ〜Ｂのピストン部材に滑動可能に装着して一方向弁を形成する図２２〜図２５の流体ディスペンサの前方封止素子の斜視側面図である。
【図２８Ｂ】図２６Ａ〜Ｂのピストン部材に滑動可能に装着して一方向弁を形成する図２２〜図２５の流体ディスペンサの前方封止素子の断面側面図である。
【図２９Ａ】図２６Ａ〜Ｂのピストン部材を滑動的に受け取る図２２〜図２５の流体ディスペンサの主ハウジングの斜視側面図である。
【図２９Ｂ】図２６Ａ〜Ｂのピストン部材を滑動的に受け取る図２２〜図２５の流体ディスペンサの主ハウジングの断面側面図である。
【図３０Ａ】流体供給部に装着し、かつ図２６Ａ〜Ｂのピストン部材が装着する図２２〜図２５の流体ディスペンサのストッパ部分の斜視側面図である。
【図３０Ｂ】流体供給部に装着し、かつ図２６Ａ〜Ｂのピストン部材が装着する図２２〜図２５の流体ディスペンサのストッパ部分の断面側面図である。
【図３１Ａ】図３０Ａ〜Ｂのストッパ部分に滑動的に装着する図２２〜図２５の流体ディスペンサのノズルの斜視側面図である。
【図３１Ｂ】図３０Ａ〜Ｂのストッパ部分に滑動的に装着する図２２〜図２５の流体ディスペンサのノズルの断面側面図である。
【図３２】ノズルの端面に形成された渦室を示す図３１Ａ〜Ｂのノズルの斜視背面図である。
【図３３Ａ】図３１Ａ〜Ｂ及び図３２のノズルに滑動的に装着する図２２〜図２５の流体ディスペンサの担持部材の斜視側面図である。
【図３３Ｂ】図３１Ａ〜Ｂ及び図３２のノズルに滑動的に装着する図２２〜図２５の流体ディスペンサの担持部材の断面側面図である。
【図３４Ａ】図２９Ａ〜Ｂの主ハウジングに装着する図２２〜図２５の流体ディスペンサの弁機構の弁素子の斜視図である。
【図３４Ｂ】図２９Ａ〜Ｂの主ハウジングに装着する図２２〜図２５の流体ディスペンサの弁機構の弁素子の斜視図である。
【図３５Ａ】図３１Ａ〜Ｂ及び図３２のノズルに挿入する図２２〜図２５の流体ディスペンサのノズル挿入部の斜視側面図である。
【図３５Ｂ】図３１Ａ〜Ｂ及び図３２のノズルに挿入する図２２〜図２５の流体ディスペンサのノズル挿入部の断面側面図である。
【図３６Ａ】図２９Ａ〜Ｂの主ハウジングに装着する図２２〜図２５の流体ディスペンサのキャップの斜視側面図である。
【図３６Ｂ】図２９Ａ〜Ｂの主ハウジングに装着する図２２〜図２５の流体ディスペンサのキャップの断面側面図である。
【図３７Ａ】ディスペンサの事前準備中にディスペンサに入れられる液体の流れを示す図２２〜図３６の流体ディスペンサの変形例の断面側面図である。
【図３７Ｂ】ディスペンサの事前準備中にディスペンサに入れられる液体の流れを示す図２２〜図３６の流体ディスペンサの変形例の断面側面図である。
【図３７Ｃ】ディスペンサの事前準備中にディスペンサに入れられる液体の流れを示す図２２〜図３６の流体ディスペンサの変形例の断面側面図である。
【図３７Ｄ】ディスペンサの事前準備中にディスペンサに入れられる液体の流れを示す図２２〜図３６の流体ディスペンサの変形例の断面側面図である。
【図３７Ｅ】ディスペンサの事前準備中にディスペンサに入れられる液体の流れを示す図２２〜図３６の流体ディスペンサの変形例の断面側面図である。
【図３７Ｆ】ディスペンサの事前準備中にディスペンサに入れられる液体の流れを示す図２２〜図３６の流体ディスペンサの変形例の断面側面図である。
【図３７Ｇ】ディスペンサの事前準備中にディスペンサに入れられる液体の流れを示す図２２〜図３６の流体ディスペンサの変形例の断面側面図である。
【図３７Ｈ】ディスペンサの事前準備中にディスペンサに入れられる液体の流れを示す図２２〜図３６の流体ディスペンサの変形例の断面側面図である。
【図３７Ｉ】ディスペンサの事前準備中にディスペンサに入れられる液体の流れを示す図２２〜図３６の流体ディスペンサの変形例の断面側面図である。
【図３７Ｊ】ディスペンサの事前準備中にディスペンサに入れられる液体の流れを示す図２２〜図３６の流体ディスペンサの変形例の断面側面図である。
【図３８】図３２に対応し、渦室の変形例を示す図である。
【図３９】図２５に対応するが、図２２〜図３６の流体ディスペンサに用いる代替の先端封止構成を示す図である。
【図４０】図２５に対応するが、更なる代替の先端封止構成を示す図である。
【図４１Ａ】図４０のノズル挿入部の斜視側面図である。
【図４１Ｂ】図４０のノズル挿入部の断面側面図である。
【図４２】図２５に対応するが、図２２〜図３６の流体ディスペンサに用いる代替の封止構成を示す図である。
【図４３Ａ】図４２の封止ピンの斜視側面図である。
【図４３Ｂ】図４２の封止ピンの断面側面図である。
【図４４Ａ】図４２のバッキングプレートの斜視側面図である。
【図４４Ｂ】図４２のバッキングプレートの断面側面図である。
【図４５Ａ】図４２のノズル挿入部の斜視側面図である。
【図４５Ｂ】図４２のノズル挿入部の断面側面図である。
【図４６Ａ】図４２の前方封止素子の斜視側面図である。
【図４６Ｂ】図４２の前方封止素子の断面側面図である。
【発明を実施するための形態】
【００９６】
最初に、図１〜図４を参照すると、本発明を実施する流体ディスペンサ10の一連の動作が概略的に示されている。この場合、流体ディスペンサ10は、薬剤を含む液体を分配するようになっており、薬剤は、例えば、液体中に懸濁又は溶解されている。流体ディスペンサ10の基礎をなす動作原理は、上記の米国特許出願公開第２００５／０２３６４３４号及び国際公開第２００５／０７５１０３号に記載されている。
【００９７】
流体ディスペンサ10は、主ハウジング12、ピストン部材14、ノズル16及びばね18を備える。ばね18は、主ハウジング12とは反対の方向にノズル16を偏倚し、ピストン部材14を主ハウジング12の中から外へ偏倚するようになっている。例えばディスペンサケース（図示せず）内に収容されたノズル16が流体ディスペンサ10の内部構成要素を形成できることは、熟練した読者に明らかである。
【００９８】
主ハウジング12は、投与室20を規定する内部空洞を有する。この好適な実施形態では、投与室20は円筒状断面を有する。この特定の実施形態における投与室20は、上記の米国特許出願公開第２００５／０２３６４３４号及び国際公開第２００５／０７５１０３号のように、ディスペンサ10から分配する流体の体積を計量する計量室を形成する。
【００９９】
ピストン部材14の第１端部22も、ほとんど円筒状の断面を有する。しかし、この第１端部22の直径は投与室20の直径よりも小さい。結果として、ピストン部材14のこの第１端部22は投与室20内で自由に滑動する。しかし、滑動を止めるため、ピストン部材14のこの第１端部22には、その円周を取り囲むように二つの環状溝24，26が設けられており、各環状溝24，26はその内部にＯリング28，30を配置する。これらＯリング28，30はピストン部材14と投与室20の壁との間の空隙を封止するようにピストン部材14の第１端部22の表面上に延在する。結果として、ピストン部材14の第１端部22は投与室20内でピストンとして作用することができる。ピストン部材14が投与室20内で移動する間、ピストン部材14の第１端部22はピストンとして投与室20内の流体にポンプ力を加える。
【０１００】
ピストン部材14の第１端部22の端壁（すなわち底端部）は投与室20に面する。この端壁の中央には孔32が設けられている。この孔は、ピストン部材14のほぼ全長に沿って延在する流体導管34用の入口孔である。ノズル16から流体を分配するために流体ディスペンサ10が作動すると、流体導管34は、流体を投与室20からノズル16内の流体分配室46へ送り込むようになっている。
【０１０１】
更なる環状溝は、ピストン部材14の底端部22の入口孔32を取り囲むように隔置されている。更なる環状溝は、ピストン部材14の側壁を取り囲むように延在するというよりはむしろ、底壁内に円形溝36として設けられている。円形溝36は、第２の環状溝26すなわち、ピストン部材14の底端部22に最も近い溝と流体連通する。これら二つの環状溝26，36間の流体連通を、二つの溝26，36間の断続的なスロット又は孔によって達成することができる。しかし、スロット又は孔が一つでも機能する。
【０１０２】
次に説明するように、円形溝36、第２の環状溝26及び第２のＯリング30の組合わせは、ピストン部材14の第１端部22において逆止め弁31を形成する。
【０１０３】
Ｏリング30が投与室20の側壁に接して圧縮された場合、環状溝26の幅は、Ｏリング30によって占められた幅寸法よりも大きい。結果として、Ｏリング30は、環状溝26内を二つの位置の間で、すなわち（底端部22から遠い）前方の封止位置と（底端部22に近い）後方の非封止位置との間で移動することができる。図３及び図４にはそれぞれ、これら二つの位置を示す。図示のように、移動は、ピストン部材14の軸線にほとんど平行である方向に行われる。
【０１０４】
第２の環状溝26は、傾斜した基部も有し、これにより可変深さを有する。この可変深さにより、溝26は二つの環状領域を規定することができる。第１の環状領域は、Ｏリング30を前方の封止位置で受け取るようになっており、円形溝36から最も遠くに隔置されている。第２の環状領域は、Ｏリング30を後方の非封止位置で受け取るようになっており、第１の環状領域に比べて円形溝36に近接して隔置されている。
【０１０５】
第１の環状領域の深さが第２の環状領域の深さほど深くないように、傾斜した基部が配置されている。直線の傾斜により深さを移行させることができ、又は、湾曲した傾斜（一般的には凸曲面）によるか、或いは、一つ以上の踊り場若しくは（深さが変化しない）平坦な領域を含む傾斜により深さを移行させることができる。図１に示す実施形態では、凸面をなす基部が設けられている。
【０１０６】
逆止め弁31は以下のように機能する。すなわち、
a）Ｏリング30が第１の環状領域に配置されている場合、Ｏリング30は投与室20の側壁と第１の環状領域の基部との両方に押圧されることにより逆止め弁31を封止又は閉鎖する。第１の環状領域が、Ｏリング30の内径に等しい直径を有し、より一般的にはＯリング30の内径よりも大きい直径を有し、しかも、Ｏリング30の外径が投与室20の直径に等しく、より一般的には投与室20の直径よりもわずかに大きいので、逆止め弁31の封止又は閉鎖が生じる。このように封止された場合、流体はＯリング30の周りに移動せず、したがって弁31を通過しない。
【０１０７】
b）ピストン部材14が投与室20に対して相対的に移動することによりＯリング30が第２の環状領域内へ移動した場合、Ｏリング30は環状溝26内で緩みを生じる。その理由は、傾斜が、事実上、溝26の基部をＯリングの最内面から引き離し、その際、Ｏリングが、もはや環状溝26の基部及び投与室20の側壁に押圧されないためであり、すなわち、前述したように第２の環状領域が第１の環状領域よりも深さがあり、Ｏリング30の内径よりも小さい直径を有するためである。したがって、逆止め弁31は開放され、流体はＯリング30の周りに移動することができるので、その際、流体は流体源（例えばビン70（図５、図６及び図１４を参照されたい））から第２の流体導管38を介して投与室20内へと弁31を通って移動することができる。例えば、図４から分かるように、Ｏリング30の固有の偏倚は、Ｏリング30の外面を投与室20の側壁と接触させて維持し、これにより、Ｏリング30の内径面と第２の環状領域の基部との間に空隙を生じさせる。したがって、流体はこの空隙を通って投与室20へ流れ込む。
【０１０８】
ピストン部材14が投与室20に対して相対的に下方へ移動する場合、Ｏリング30は、図２及び図３に示すように前方の封止位置に配置される。これとは反対に、ピストン部材14が投与室20に対して相対的に上方へ移動する場合、Ｏリング30は、図１及び図４に示すように後方の非封止位置に配置される。熟練した読者によって理解されるように、ピストン部材14を投与室20に対して相対的に移動させるだけで、Ｏリング30は溝26内の前方の位置と後方の位置との間で移動される。
【０１０９】
第２の流体導管38は、投与室20の側壁を通じて流体を投与室20内へ導入する。入口点は、投与室20の底壁40から一定の距離Dだけ離れて配置されている（図１参照）。この距離Dは、全作動ごとにディスペンサにより分配すべき流体の計量体積を設定する。すなわち、計量体積は、この入口点よりも下にある投与室の体積、例えば50μｌ（マイクロリットル）である。しかし、この距離Dを変化させることにより異なる分配量を供給することができることに留意されたい。例えば工場で、入口点を異なる位置に成形することにより、又は、入口点の位置を可動／可変させることにより、この変化を達成することができる。
【０１１０】
図１（完全に拡張された休止位置）に示すように、ピストン部材の底端部22は、第２の流体導管38の入口点よりも上に位置している。この時点で投与室は過剰充填され、投与室は満杯になり、この休止位置では、ディスペンサ10から投与される量よりも大きい体積を有する。しかし、この過剰充填はユーザへの過剰投与とはならない。その理由は、図２及び図３から理解されるように、ピストン部材14を圧縮して投与室20内へ戻す際、（前方の封止位置にある）Ｏリング30が入口点を閉鎖するまで、流体の余分な体積（すなわち、入口点よりも上にある流体）は投与室20から入口点を通り、その下にある第２の流体導管38を通って瓶の中へ押し返され／送り返されるためである。その後、投与室20内の流体の体積は逆止め弁31により固定される。すなわち、計量体積が規定される。
【０１１１】
前述した作動サイクルごとの過剰充填は有用な機能を果たす。この過剰充填は、作動ごとに完全かつ正確な計量投与量が供給されることを確実にする。
【０１１２】
図中、投与室20への入口点が一つだけ示されているが、例えば、上記の国際公開第２００５／０７５１０３号に示されるように二つ以上の入口点を設けることができる。このことは、投与室20と流体源との間の流れ抵抗を減少させる。
【０１１３】
図４では、下向き矢印は、主ハウジング12がノズル16及びピストン14に対して相対的に遠ざかることを示している。このことは、ピストン14及びノズル16が静止している間、ハウジング12を下方へ移動させることにより、又は、ハウジング12が静止している間、ピストン14及びノズル16を同時に上方へ移動させることにより、又は、ハウジング12を下方へ、かつ、ピストン14及びノズル16を上方へ同時に移動させることにより達成することができる。これとは別に、上向き矢印は、Ｏリング30が後方の非封止位置にあることにより開放された逆止め弁31を通じて投与室20を充填するための流体を第２の流体導管38内へ結果的に引き上げることを示している。
【０１１４】
図２では分配が生じ、逆止め弁31は閉鎖されており、上向き矢印は、主ハウジング12がノズルに向かって移動されて、投与室20から第１の流体導管34を通じて流体を押し上げ／汲み上げることを示している。もちろん、ピストン14及びノズル16を、静止状態のままであるハウジング12に向かって移動させることができ、又は、ピストン14及びノズル16の構成体とハウジング12とを互いの方へ同時に移動させることができる。
【０１１５】
図３では、矢印は、主ハウジング12に対して相対的な上向きの力によって最終的な移動が生じ、その際に分配が完了し、ピストン部材14が投与室20の底壁40と接するように投与室20内に完全に移動されたことを示している。
【０１１６】
第１の環状溝24が第２の環状溝26に比べて円形溝36から遠くに隔置されているので、第１の環状溝24はピストン部材14の側壁と投与室20の側壁との間の空隙の上端部を封止する。この封止は、流体が投与室20から漏れてピストン部材14の側面に垂れないようにし、しかも、外気が装置に入らないようにする。第１のＯリング28は第１の環状溝24内でほとんど移動しない。実際には、第１の環状溝24の幅は第２の環状溝26の幅ほど広くない。このことは、第１のＯリング28がこの第１の溝24内にしっかり嵌っていることを意味する。しっかり嵌っている理由は、第１のＯリング28が投与室20の側壁と第１の環状溝24の基部との両方に接して圧縮されているためである。したがって、第１のＯリング28はピストン部材14と投与室20の側壁との間で良好かつ一定の封止を生じさせる。
【０１１７】
流体源を、主ハウジング14が取り付けられた瓶又は容器とするのが好ましい。主ハウジング12を瓶にねじで取り付けることができる。或いはまた、図５、並びに図９〜図１４の構成を用いることができる。
【０１１８】
瓶には通気孔を設けることができ、又は、瓶は、流体供給部が用いられる場合に背圧エアロックを防止する他の何らかの構成を有することができる。例えば、国際公開第２００５／０７５１０３号又は国際公開第２００４／０１４５６６号に開示されたディスペンサは、瓶にピストンを組み入れる瓶を用いる。
【０１１９】
好ましくは、瓶に通気孔を設けない。
【０１２０】
図１及びピストン部材14の第２端部42を参照すると、第１の流体導管34はピストン部材14中を通って上方へ延在し、第２端部42のニップル60内の側面ポート44から抜け出る。投与室20内の流体を投与室20から第１の流体導管34を通じて汲み上げ、その後、ノズル16内に形成された流体分配室46へ送り出すことができるように側面ポート44は開口している。流体分配室46はノズル16の上側の内部空間全体を占め、二つの円筒部分を備える。第１部分すなわち上側円筒部分は、ピストン部材14のニップル60を緩やかに受け取るように寸法指定されている。第２部分すなわち下側円筒部分は、（前述したピストン部材14の第１端部22におけるピストン構成に類似する）ピストン部材の第２端部42に設けられたピストン構成を受け取るように機能する。
【０１２１】
下側円筒部分の直径は投与室20の直径よりも大きい。したがって、ピストン部材14の第２端部42におけるピストン構成の直径はピストン部材14の第１端部22におけるピストン構成よりも大きい。
【０１２２】
下側円筒部分は一定の断面を有し、この断面はノズル16の底部まで続く。
【０１２３】
ピストン部材14の第２端部42におけるピストン構成は下側円筒部分内に配置されている。ピストン構成は、Ｏリング48が入れる溝を有するほぼ円筒状の部分を備える。Ｏリング48は、この下側円筒部分の側壁に接してこのピストンを封止する。
【０１２４】
Ｏリング48の代わりに、一体弾性部材、例えば、ピストン部材14上に成形された一体弾性部材を設けることができる。他に何らかの既知の封止手段も用いることができる。
【０１２５】
（ノズル16の下側円筒部分内にある）この第２ピストンは、流体分配室46内の流体を加圧するように機能する。
【０１２６】
ピストン部材14のニップル60は、使用中、ノズル16の上側円筒部分内に配置されるため、下側円筒部分とは反対の方向に延在しており、全体的に緩い嵌合を有し、これにより、流体はニップルの外面の周りに移動することができる。
【０１２７】
ノズル16の上側円筒部分は、流体分配室46の最上部を規定する端壁を有する。この最上部には流体排出口52が設けられており、例えば、図２に示すように噴霧の形態をとって流体をユーザへ分配するため、加圧された流体は流体分配室46から流体排出口52を通ってノズル16から流出することができる。ユーザの鼻孔に供給するように分配を行うことができる。
【０１２８】
流体排出口52は、更なるＯリング54の形態をとる封止部材54と関連付けられている。Ｏリング54は、前述したこれまでのＯリングよりも著しく小さく、Ｏリング54は、流体排出口52を閉鎖する封止部の一部を形成する。この封止部の残りの部分はニップル60の端壁50である。
【０１２９】
ニップル60の端壁50は、丸い先端を有する。端壁50が封止部材54を押圧すると、すなわち、丸い先端がＯリング54の中心に入ると、封止部が閉鎖される。この閉鎖は、図１に示すように、ディスペンサ10の初期設定又は休止位置で生じる。ばね18がピストン部材14を、投与室20の底壁40から隔置された位置（図１）へ偏倚することにより端壁50が封止部材54に係合するように偏倚されるので、封止部が閉鎖される。偏倚力がこの所望の効果を生じさせることを確実にするため、ノズル16が、図１に示す位置を超えて移動しないようにされていることは明らかである。例えば、図５の実施形態では、止め具86及び溝が設けられている。しかし、抑制機構は、ノズル16のつば部58（図１５参照）の内面が対接できる外部ケーシングのような既知の何らかの機構とすることができる。
【０１３０】
ディスペンサ10から流体を分配するため、図１及び図２に示すようにノズル16を主ハウジング14に対して相対的に圧縮する必要がある。ノズル16の圧縮は、相互に係合するノズル16及びピストン部材14の面を介してピストン部材14を投与室20内に押し込む。これによりばね18は圧縮する。この移動の初期段階中、排出口52を閉鎖したままにしておくため、ピストン部材14の端壁50は封止部材54に係合されたままである。この初期流出段階中、ピストン14は、前述したように、投与室20内の流体の過剰な体積を入口孔から第２の流体導管38へ送り返す。しかし、ピストン部材14上の閉鎖された逆止め弁31が第２の流体導管38の入口点を通過し、したがって、投与室20内の流体の計量体積を規定した後、ピストン部材14が引き続き投与室20に対して相対的に下方へ移動することによって、ピストン部材14の第１端部22の前方における流体内の圧力を増加させる。その理由は、逆止め弁31が閉鎖されているために流体がもはや入口点から流出することができず、又は、封止部材54が依然としてニップルの端壁50と共働して封止しているので排出口52から流体が流出しないためである。
【０１３１】
流体圧力の増加が充分であると、ばね18によりピストン部材14に与えられた偏倚力に打ち勝つのに充分な力がピストン部材14上に生じる。図１に示すように、この力は、ピストン部材14、したがってニップル60の端壁50を封止部材54から遠ざけ、これにより流体排出口52を開放する。その後、加圧された流体は、流体排出口52を介して流体ディスペンサ10から自由に抜け出すことができるようになり、流体はピストン部材14のポンプ作用により加圧されているので霧化噴霧のように流体ディスペンサ10から流出する。更に、ピストン部材14及び投与室20の相対的な圧縮が継続されている間、a）ピストン部材14が投与室20内に完全に押圧されて端壁40と接し、b）ノズル16が下方へ相対的に移動し続け、この移動がピストン部材14と投与室の端壁40との接触によりこの時点でピストン部材14に対しても相対的に行われるため、ピストン部材の端壁50が封止部材54との再係合により流体排出口52を再封止し終えるまで、この噴霧は継続する。その後、流体ディスペンサ10は、図３に示すように完全に圧縮される。
【０１３２】
逆止め弁31が投与室20への入口点を閉鎖した後、ピストン部材14の第１端部22の前方における流体が加圧されると、加圧された流体がノズル16とピストン部材14とを分離して流体排出口52を開放する作用をするように、ピストン部材14の第２端部42におけるピストン構成と流体分配室46とが構成され配置されていることは明らかである。
【０１３３】
完全に圧縮された後、流体ディスペンサ10を解放することができ、その際、ばね18は、図１に示す構成に流体ディスペンサ10をリセットするため、相互に係合するノズル16及びピストン部材14に対して戻り力を加え、このリセット中、ノズル16及びピストン部材14は主ハウジング12から再び分離される。この動作中、前述したように一方向弁31は開放され、その際、図１の初期設定位置に達するまで、流体は流体源から投与室20内へ引き込まれる。  更に詳細には、ピストン部材14が図３の構成から図１の構成へ戻る間、図４に示すように、投与室20に負圧が生じ、これにより、流体源から導管38に沿って流体を入口点から投与室20内へと、開放された逆止め弁31を介して引き込む。開放された逆止め弁31が入口点を通過した後、流体は、拡張している投与室20を直接に充填し続ける。その後、流体ディスペンサ10は製品の使用サイクルを完了して、次の分配を行う準備をし、投与室20はもう一度、流体で過剰充填される。
【０１３４】
次に図１７〜図２０を参照すると、図１〜図４の流体ディスペンサ10の構成に類似する流体ディスペンサの構成が示されている。しかし、この実施形態では、ノズル16の上側円筒部分の側壁とニップル60の側壁との間でニップル60の側壁上のねじ山により、予め規定された流体流路が設けられる。ねじ山の代わりに、図１〜図４の実施形態では、ニップル60を通過する流体の流路は、ニップル60の側壁と上側円筒部分の側壁との間の薄い空間によってのみ設けられる。
【０１３５】
これらの代わりに長手方向溝を設けることができることは明らかである。
【０１３６】
図１７〜図２０の流体ディスペンサ10の動作は、図１〜図４の装置の動作にほぼ同じである。しかし、この代替の実施形態では、第２の環状溝26の傾斜が鋭角的であるという点で、更なる構造上の違いが存在する。前述したように、第２の環状溝26は単一の踊り場を有する。しかし、第２の環状溝26は、湾曲した傾斜よりはむしろ、直線の傾斜を有する。
【０１３７】
次に図５〜図８を参照すると、図１〜図４の実施形態と同じ原理で動作する本発明の別の代替の構成が開示されている。この構成は、この場合もピストン部材14の第１端部22における逆止め弁31と、ばね18と、ノズル16とを備える。しかし、ノズルキャップ62はノズル16を取り囲んでいる。
【０１３８】
ノズルキャップ62は衛生上の理由によりノズル16上に圧入され、取り外し可能である。ノズル16はその最上端部に平坦な肩部64及び首部を有し、肩部64及び首部は、ノズルキャップ62の最上部に位置する対応の肩部66及び孔に嵌合するように構成されているので、ノズルキャップ62はノズル16を把持することができる。
【０１３９】
ノズルキャップ62はつば部58を有し、つば部58によりノズルキャップ62を、したがってノズル16をも下向きに主ハウジング12に対して相対的に圧縮することができる。前述したように、このことは、流体導管34を通じて投与室20から流体を引き上げ、側面ポート44から流体分配室46へ送り出し、開放された封止部を通過した後、流体排出口52から流体を分配させる。しかし、この実施形態では、側面ポート44が二つあり、すなわち、ニップル60の両側に一つずつある。更に、封止部材54は、この場合、（例えば、ゴム又はシリコーンから製造された）弾性又は可撓性のタブ又はプレートである。このプレート54は封止位置内へニップル60の端壁50により押圧された場合に流体排出口52の孔を閉鎖するようになっている。
【０１４０】
封止部材54は、図７及び図８に詳細に示されている。この端壁50が封止部材54の下側に対して押圧又は係合することによって、封止部材54を封止位置内へ端壁50により屈曲することができる。この封止位置は、初期設定又は休止位置であり、図７を参照されたい。しかし、前述したように、閉鎖された逆止め弁31が投与室20への入口点を閉鎖した後、ピストン部材14の第１端部22の前方における流体が加圧されると、端壁50が封止部材54から係合解除され、その際、封止部材54がほぼ平坦な形状に自由に緩むことができるように、ピストン部材14の第２端部42におけるピストン構成と流体分配室46とが構成され配置されている。図８を参照されたい。この平坦な状態では、流体は封止部材54の上面から抜け出ることにより流体分配室46から流出することができ、これにより、流体が流体排出口52に達し、ここから流出する。或いはまた、端壁50が封止部材54から係合解除した後、加圧された流体それ自体が封止部材54を平坦にする。
【０１４１】
封止部材54はその下側にスペーサ及び集中部材88を備える。この部材88は環状の材料であり、この部材88を硬質又は軟質のどちらかとすることができる。適切に封止部を閉鎖するように端壁50が封止部材54の中央を押圧することを確実にするため、この環状の材料の中央にニップル60の先端が嵌め込まれている。
【０１４２】
主ハウジング12は、その側壁を貫通する二つの対向する孔68を有する薄壁のU字状円筒素子の形態をとっている。これらの孔68は、この実施形態における第２の流体導管38の入口点である。
【０１４３】
投与室20は薄壁のU字状円筒素子12の内面により規定されている。第２の流体導管38は主ハウジング12とストッパ部分76との間に位置し、この主ハウジング12を取り囲む環状空隙である。主ハウジング12の円周を取り囲むように設けられ外向きに延在するつば部によりストッパ部分76にキャップがされている。このため、このつば部をストッパ部分76上に溶接するのが好ましい。しかし、他に何らかの封止を行うことができる。
【０１４４】
前述したように、第２の流体導管38により流体を瓶70から投与室20内へ送り込むことができる。しかし、この実施形態では、供給又は浸漬管72が設けられ、供給管72は、瓶70の底部に隣接するように流体導管38の端部から延在しており、これにより、直立した瓶70がほとんど空であっても、この瓶70は流体を依然として供給することができる。
【０１４５】
この実施形態では、生じる過剰充填の程度が小さい（図１及び図５を比較して、図５では、逆止め弁31の上昇は、第２の流体導管38の入口点68をわずかしか上回らない）。しかし、所望に応じて、対向する孔68を下げることによって、より多くの過剰充填を生じさせることができる。
【０１４６】
ストッパ部分76はコルクのように瓶70の首部78の内部に押し込まれるように構成されている。その後、この構成は、封止キャップ又はフェルール74により瓶70上の所定の位置に固着される。この封止キャップ74は、首部78のつば部80を被覆することにより首部78上でストッパ部分76を強く把持する。
【０１４７】
ストッパ部分76はそれ自体の首部82を更に備える。この首部82は、二つの対向する溝84を有する。これらの溝84は、ほとんど軸線方向に、すなわちピストン部材14と平行して、首部82の一部に沿って延在している。
【０１４８】
ノズル16の側壁は首部82内に嵌っている。しかし、ノズル16を所定の位置に固定するため、すなわち、ノズル16が、図５に示された位置を越えて主ハウジング12とは反対の方向に延びないようにするため、ノズル16の外壁上には二つの止め具86が設けられている。これら止め具86は溝84の内部と係合する。
【０１４９】
使用中、図１〜図４の実施形態のように、ばね18は、図５に示すように、流体ディスペンサ10に、完全に拡張された初期設定／休止位置を取らせる。その後、ノズル16が主ハウジング12に向かって相対的に圧縮すると、逆止め弁31のＯリング30が投与室20の側壁内の二つの入口孔68を通過するまで、ばね18の偏倚力はピストン部材14を封止部材54に接して維持する。その後、前述したように、流体（水）圧力は流体分配室46内で増加し始める。その後、この圧力は、最終的にピストン部材の端壁50を封止部材54から分離させる。これにより封止部材54は開放され、その後、加圧された流体の計量投与量が流体排出口52を介して流体ディスペンサ10から分配され始める（図６参照）。
【０１５０】
その後、この分配は、ピストン部材14が投与室20の底壁40に衝突するまで継続し、その後、ピストン部材14が封止部材54と再係合して流体排出口52のために封止部材54を閉鎖するまで、ノズル16がピストン部材14に対して相対的に移動する。
【０１５１】
分配後、機構を解放して（図５に示す）開始位置に戻すことができる。その間、投与室20は、第２の流体導管38及び供給管72を介して瓶70からの新たな流体で再び過剰充填される。
【０１５２】
次に図９〜図１４を参照すると、図５〜図８の流体ディスペンサを組立る方法が示されている。
【０１５３】
図９において左から右へ向かって、流体ディスペンサ10は、ノズルキャップ62、ノズル16、封止部材54、スペーサ及び集中部材88、（三つのＯリング28，30，48を有する）ピストン部材14、ばね18、主ハウジング12、並びにストッパ部分76を備える。
【０１５４】
ストッパ部分76は、二つの溝84及び首部82を有する。
【０１５５】
主本体12はその内側に投与室20を有し、投与室20の側壁に孔68を有する（図中、これら孔68の一つだけが見えている）。
【０１５６】
ピストン部材14の二つの端部22，42はそれぞれ、適切な溝24内に配置された固定されたＯリング28，48を有する。更に、溝26内には、一方向弁31用のＯリング30が配置されている。
【０１５７】
ピストン部材14は、投与室20とは反対の方向を向いているニップル60を有する（このニップル60では、二つの側面ポート44の一方だけが見えている）。
【０１５８】
好適な組立て順序は、主ハウジング12をストッパ部分76に差し込む必要がある。次に、二つの素子の間にハーメチック封止部を形成するように主ハウジング12を適切な位置に超音波溶接することができ、これにより、第２の流体導管38が形成される。その後、図１０に示すように、ばね18と、三つのＯリング28，30，48を有するピストン部材14とを主ハウジング12内に挿入する。その後、スペーサ及び集中部材88が取り付けられた封止部材54をピストン部材14のニップル60上に配置する。その後、（一方だけが図示されている）二つの止め具86をストッパ部分76の首部82の溝84と係合させて、この構成上でノズル16がパチンと音を立てる。この組立て工程は図１１に示されている。結果として得られた構成は図１２に示されている。
【０１５９】
図１１におけるニップル60は、図５〜図８に示されたニップルよりも大きい外径を有し、ニップル60の可能な変形例を示している。
【０１６０】
図１１に関して、封止部材54と、それに取り付けられたスペーサ及び集中部材88との両方は、それらの少なくとも一方側に流体流れ溝90を有する。この溝90は、流体の分配中に封止部材54とスペーサ及び集中部材88とを通過する流体の流れを改善するために設けられている。
【０１６１】
再度図１２を参照すると、二つの更なる封止部92が、結果として得られた構成に配置されている。これらの封止部92はそれぞれ封止キャップ74及び首部78で封止するようになっている。すなわち、この構成は最終的に瓶70の首部78に装着され固着される。下側の封止部92は、ストッパ部分76から外向きに延在する環状つば部上に配置されている。これら封止部92及び環状つば部は図５及び図６には示されていないが、それらの所定位置は図５及び図６において明らかである。
【０１６２】
瓶上の組立てを行った後、ノズルキャップ62をノズル16に押し込んで組立てを完成する。しかし、この組立てをもっと早い段階で完了することができる。
【０１６３】
完成した組立体は図１４に示されており、図５及び図６は、完成した組立体を断面図で示している。
【０１６４】
次に図１５及び図１６を参照すると、本発明の更なる代替の封止構成が示されている。この実施形態では、流体排出口に位置する封止部材の代わりに、ピストン部材14のニップル60内に設けられた封止部材54は、第２の流体導管34のために側面ポート44を封止する。
【０１６５】
封止部材54は、ニップル60上に保持された弾性管であって、この保持は管の弾性により行われる。この好適な構成では、この保持の固定は二つの止め具94により支援されている。
【０１６６】
前述した実施形態と同様に、逆止め弁31はピストン部材14の第１端部22に設けられている。更に、投与室20の再充填の一般原理は、前述した通りである。ピストン部材14内の流体導管34の構成も変更されない。しかし、前述した実施形態では、大規模な流体分配室46が設けられていたが、この実施形態では、著しく小さい流体分配室46が設けられており、より大きい断面積はもはや必要とされない。
【０１６７】
この装置から流体を分配するため、この場合も、流体圧力を高めて封止部材54を開放する必要がある。しかし、この場合、流体圧力は、弾性管内でのフープ応力に打ち勝たなければならない。この流体圧力は、前述したように、主ハウジング12に向かってノズル16を相対的に圧縮することにより得られる。逆止め弁31が第２の流体導管38の入口点を通過した後、この圧縮は依然として流体圧力を増加させ、この増加圧力は、弾性管54内でのフープ応力に最終的に打ち勝ち、その際、管54はニップル60と反対の方向に拡張する。この時に初めて、加圧された流体は流体分配室46に抜け出して流体排出口52から外へ分配される。
【０１６８】
弾性管のこの拡張に空間が必要とされるため、封止部材54（弾性管）と流体分配室46の内壁との間に狭い空隙96（図１６参照）が設けられている。空隙を狭くしておくことにより、流体は流体排出口52から噴出しやすくなる。
【０１６９】
この場合も、この実施形態でばね18を図示のように設けることができる。しかし、ばね18は、ノズル16を主本体12と反対の方向に偏倚するように機能するだけである。
【０１７０】
前述したように、この実施形態では、つば部58が設けられている。しかし、ノズル16を下方へ主ハウジング12に対して相対的に圧縮する間、つば部58により、追加としてユーザがノズル16をつかむことができる。
【０１７１】
最後に、図２１を参照すると、図１〜図４の実施形態と同じ一般的な動作原理を有する本発明の更なる実施形態が開示されている。この場合も、この実施形態で、逆止め弁31がピストン部材14の第１端部22に設けられている。更に、投与室20を充填するために主ハウジング12と反対の方向にピストン部材14及びノズル16を偏倚するばね18が設けられている。しかし、この実施形態は、異なるノズル構成を有する。
【０１７２】
ノズル16は、中空の主本体と、その中に嵌め込まれた別個のノズル構成要素100とを備える。主本体の中空部分は円筒状であるが、主本体に沿っておよそ半分の位置に肩部98を有し、肩部98は、第１の大きい方の円筒部分を小さい方の円筒部分から分離する。小さい方の円筒部分は、この主本体の最上部付近に配置されており、すなわち、流体ディスペンサ10の主ハウジング12から遠くに隔置されている。別個のノズル構成要素100は、この小さい方の円筒部分内に配置されている。
【０１７３】
つば部は、第２端部42のピストンよりも低い位置でピストン部材14の円周を取り囲むように延在している。このつば部はノズル16の主本体内で肩部98の下側と係合する。更に、ばね18はこのつば部の下側と主ハウジング12の最上部とに作用して、ピストン部材14のこのつば部を肩部98と係合するように偏倚する。この力はノズルの主本体及びピストン部材14を一緒に保持し、これにより、流体ディスペンサ10の使用サイクル中、すなわち、流体ディスペンサ10について行われる圧縮及び解放の両方の動作中、ノズルの主本体及びピストン部材14が一体となって移動する。
【０１７４】
ノズル16の別個のノズル構成要素100は、ノズル16の主本体の小さい方の円筒部分内に滑動的に嵌め込まれている。別個のノズル構成要素100も中空である。中空部分は、a）ピストン部材14のニップル60に用いられる上側円筒部分と、b）ピストン部材14の第２端部42のピストンに用いられる下側円筒部分とを規定する。
【０１７５】
ノズル構成要素100の中空部分の最上部には流体排出口52が設けられている。更に、ニップル60の端壁50はこの流体排出口52を封止するように構成されている。この実施形態では、ニップル60の端壁50はこの流体排出口を封止するためにゴム化されている。しかし、前述した実施形態から開示されたＯリング又は封止プレートも用いることができる。
【０１７６】
図１７の実施形態と同様に、別個のノズル構成要素100の上側円筒部分は、ニップル60を取り囲むように予め規定された流体流路を有する。この場合も流体流路はらせん状の溝であるが、この場合、別個のひだ状又はコイル状部材として設けられている。しかし、例えばねじ山形状のように流体流路をノズル構成要素100と一体的に形成することもできる。
【０１７７】
前述したように、ピストン部材14の第２端部42のピストンはＯリング48を含む。しかし、この場合、このピストンは、別個のノズル構成要素100の下側円筒部分内に封止嵌合部を備える。この封止嵌合部は、この場合には別個のノズル構成要素100内に位置する流体分配室46の底部を閉鎖する。しかし、前述した実施形態とほとんど同じように、すなわち、ピストン部材14中を通って延在し、ニップル60の側面ポートから抜け出る流体導管34を介して、加圧された流体を投与室20から流体分配室46に送り込むことができる。
【０１７８】
この実施形態では、下側円筒部分は、投与室20と同じ直径を有する。したがって、流体排出口52から分配するために封止部を開放する異なる機構が必要とされる。この実施形態では、この機構は、ノズルの主本体と別個のノズル構成要素100との間に偏倚手段（ばね102）を設けることにより得られる。このばね102はノズルの主本体と別個のノズル構成要素100との間に嵌っている。ばね102は、別個のノズル構成要素100の底部周辺を取り囲むように設けられたつば部と、ノズルの主本体の小さい方の円筒部分における最上部の内側を取り囲むように設けられた他のつば部との両方と係合する。したがって、ばね102は、別個のノズル構成要素100をノズル16の主本体に対して相対的に下方へ、すなわち、ピストン部材14の端壁50上に偏倚する。したがって、これにより、初期設定ごとに流体排出口52を封止的に閉鎖することができる。しかし、作動サイクルの分配段階中、流体ディスペンサ10の流体に生じる圧力の増加は最終的にばね102の偏倚力に打ち勝ち、この特定の実施形態では、ノズル構成要素100を上方へすなわち、ニップル60と反対の方向へ移動させることによりノズル構成要素100をニップル60から分離する。戻しばね102の偏倚力に打ち勝つことにより、封止を開放し、その際、流体を流体排出口52から分配させることができる。
【０１７９】
ばね102の戻り力を変化させることにより、すなわち、より弱いばねか、より強いばねを用いることにより、封止を開放するのに異なる圧力が必要とされる。大きい力が必要とされる場合、流体は、分配時、より大きい圧力下にある。このことは、強力な噴霧を形成するのに有利となる。しかし、このばねの力に打ち勝つのに必要な圧縮力を、ユーザの能力の範囲内にしなければならない。
【０１８０】
当業者に明らかなように、流体排出口における渦室を、前述した各流体ディスペンサに設けることができる。例えば、図３２及び図３８に示された渦室153を用いることができる。
【０１８１】
図２２〜図３６には、図１〜図２１に前述した流体ディスペンサの機構と類似する機構であって、類似の符号で示された機構を有する更なる流体ディスペンサを示す。
【０１８２】
図２４Ｂ及び図２６Ａ〜Ｂを参照すると、更なる流体ディスペンサのピストン部材114はほとんど円筒の形状をし、主ハウジング112により規定された投与室120の内側に位置し、流体ディスペンサ110の長手方向の軸線Ｌ‐Ｌに沿って往復的にストロークするように装着されている。ピストン部材114は、投与室120に対して相対的に前方位置と後方位置との間でストロークするように装着されている。
【０１８３】
この実施形態では、ピストン部材114はポリプロピレン（PP）から射出成形されているが、他の機能的に等価なプラスチック材料を用いることができる。
【０１８４】
図２４Ｂ〜Ｃ及び図２９Ａ〜Ｂを参照すると、投与室120は円筒状であり、長手方向の軸線Ｌ‐Ｌと同心的に配置されている。投与室120は、前方区域120a及び後方区域120bを有する。図示のように、前方区域120aは後方区域120bよりも幅狭い。段部120cには、後方区域120bを前方区域120aに接続するように順方向F（図２４Ｂ参照）に向かって内側へテーパーが付されている。
【０１８５】
再度図２６Ａ〜Ｂを参照すると、ピストン部材114は、前方区域114a、後方区域114b及び中央区域114cを有する。これらは同心的に配置されている。
【０１８６】
後方区域114bは、ピストン部材114の開口した後方端部114dを有する。後方区域114bはカップ状であって、環状の外側周壁114eを有し、外側周壁114eは、後方端部114d内で開口した口部114gを有する内部空洞114fを規定する。
【０１８７】
前方区域114aは硬く、ピストン部材114の前方端部114hを有する。前方区域114aは、前方端部114hの後方に環状つば部114iを備える。
【０１８８】
中央区域114cは前方端部114a及び後方端部114bを接続し、以下に詳細に説明されるように、投与室120の後方区域120bを流体供給部（瓶）170（図２２Ａ〜Ｃ参照）と流体連通させる内部孔網114jを備える。孔網114jは、軸線方向区域114k及び複数の横方向区域114lから成る。軸線方向孔区域114kは内部空洞114fの前方面114n内の後方開口部114mから接合部114pへ前方に延在する。横方向孔区域114lは、中央区域114cの外周面に位置するそれぞれの前方開口部114qから内側へ接合部114pまで横方向に延在して軸線方向孔区域114kと接続する。前方開口部114qは、中央区域114cを中心として等角に配置されている。この特定の実施形態では、二つの横方向孔区域114lが存在するが、一つ又は三つ以上の横方向孔区域を用いることができる。また、前方開口部114qは中央区域114cの凹所内に配置されている。
【０１８９】
ピストン部材114には、軸線方向に向けられた複数の溝114rが外周を取り囲むように設けられている。溝114rは、前方区域114aに位置する環状つば部114iの後方面114sから、内部孔網114jの前方開口部114qの後方に位置する中央区域114c上の環状リブ114tへ後方に延在する。溝114rは、前方開口部114qの少なくとも一部分が溝114rに入っているように配置されている。
【０１９０】
ピストン部材114の前方区域114aの先端部分114uはつば部114iから前方端部114hへ前方に延在し、三角形の断面形状をし、頂点が丸められている。
【０１９１】
図２４Ｂ〜Ｃ及び図２７Ａ〜Ｂを参照すると、ピストン部材114はその中央区域114c上に管状の後方封止素子128を担持し、これにより、ピストン部材114と投与室120の後方区域120bとの間に永続的な動的（滑動）封止を形成する。後方封止素子128は、ピストン部材114と一体となって移動するようにピストン部材114に固定され、これにより、投与室120内でピストン部材114がストロークする間、後方封止素子128とピストン部材114との間で相対軸線方向移動は生じない。
【０１９２】
後方封止素子128は、前方端部に弾性環状封止リップ128aが設けられ、かつ後方端部に弾性環状封止リップ128bが設けられたリップシールタイプを有する。封止リップ128a，128bは後方封止素子128の材料により外向きの固有の偏倚を生じる。封止リップ128a，128bは、投与室の後方区域120bの内径よりも大きい外径を有し、これにより、封止リップ128a，128bは投与室の後方区域120bの内面により内向きに圧縮されている。この結果、封止リップ128a，128bに生じる偏倚は、封止リップ128a，128bが投与室の後方区域120bの内面と封止的に係合することを意味する。
【０１９３】
後方封止素子128は、封止リップ128a，128bが依存する管状本体128cを更に備え、管状本体128cは、後方封止素子128の内周ビード128dがピストン部材114の中央区域114cのくぼみ部分114wと係合することによりピストン部材の中央区域114cの外面に嵌る。管状本体128cはピストン部材114に嵌ると、管状本体128cがピストン部材114の中央区域114cのほぼ全体の軸線方向範囲に及ぶ長さを有する。
【０１９４】
次に図２８Ａ〜Ｂを更に参照すると、ピストン部材114は更にその前方区域114a上に管状の前方封止素子148を担持して、以下に詳細に説明するように、ピストン部材がストロークする特定の段階中にだけ、ピストン部材114と投与室120の前方区域120aとの間に動的（滑動）封止を形成する。
【０１９５】
前方封止素子148もリップシールタイプを有するが、この場合、前方端部にだけ弾性環状封止リップ148aが設けられている。前方封止リップ148aの外径は投与室の後方区域120bの内径よりも小さいが、投与室の前方区域120aの内径よりは大きい。その結果として、前方封止リップ148aを投与室の前方区域120aの内面と封止的に係合するように偏倚させることができる。
【０１９６】
図示のように、前方封止素子148は、ピストン部材114の前方区域114a上に滑動可能に装着されている。より詳細には、前方封止素子148は、封止リップ148aが依存する管状本体148bを備え、前方封止素子148を貫通させる開放型の軸線方向孔149を有し、軸線方向孔149には、ピストン部材114の前方区域114aが滑動可能に装着されている。孔149は、前方孔区域149a、後方孔区域149b及び広い中央室149cを備える。前方孔区域149a及び後方孔区域149bはそれぞれ中央室149から前方封止素子148の前方端部148cの開口部及び後方端部148dの開口部へ延在している。前方端部148cには、前方孔の開口部を横断する溝148gが設けられている。中央孔室149cには、管状本体148bを貫通し直径方向に対向する一対の窓149fが設けられている。
【０１９７】
ピストン部材114の環状つば部114iは中央孔室149cの内側に配置されている。中央孔室149cは、横方向に向けられた前方端壁149d及び後方端壁149eを有し、前方端壁149d及び後方端壁149eは、ピストン部材114の環状つば部114iと選択的に係合して、前方封止素子148がピストン部材114上で滑動移動する限界を定める。特に、ピストン部材114に対する前方封止素子148の相対的な最前方位置は、後方端壁149eが環状つば部114iと接することにより限界付けられる。これとは反対に、ピストン部材114に対する前方封止素子148の相対的な最後方位置は、前方端壁149dが環状つば部114iと接することにより限界付けられる。
【０１９８】
ピストン部材の前方区域114aが前方封止素子の孔149内で滑動移動することにより一方向弁を形成する。以下に詳細に説明されるように、前方封止素子148がピストン部材114に対する相対的な最後方位置にある時に一方向弁は閉鎖され、前方封止素子149が最前方位置に向かってピストン部材114に対して相対的に移動する間、開放される。
【０１９９】
そのため、前方封止素子148が最後方位置にある時には、環状つば部114iが中央孔室149cの前方端壁149dに接して流体密封部を形成することは明らかである。
【０２００】
動作中、ピストン部材114が投与室120に対して前方へ相対的にストロークする間、環状つば部114iが中央孔室149cの前方端壁149dと係合することにより前方封止素子148はピストン部材114と一緒に前方へ移動する。したがって、ピストン部材114の前方ストローク中、一方向弁は閉鎖される。また、前方ストロークは、前方封止素子148を投与室120の前方区域120aと封止的に滑動係合させる。
【０２０１】
前方ストロークの終了時に、前方封止素子148の前方端部148cが投与室120の前方端壁120cと接することにより限界付けられた前方位置にピストン部材114が到達した後、ピストン部材114は、後方位置に向かって戻りの後方ストロークを開始する。後方ストロークの初期段階では、ピストン部材114は前方封止素子148に対して相対的に後方へ移動し、これにより、後方ストローク中、一方向弁が開放位置へ移動される。ピストン部材114の後方ストロークは、ピストン部材114が後方位置に配置されることで終了する。前方封止素子148は投与室の後方区域120bに配置され、これにより、投与室の前方区域120a及び後方区域120bが前方封止素子148を取り囲むように流体連通する。
【０２０２】
したがって、投与室120内におけるピストン部材114の前方ストロークの初期段階では、ピストン部材114は前方封止素子148に対して相対的に前方へ移動して一方向弁を（再）閉鎖することは明らかである。
【０２０３】
この実施形態では、後方封止素子128及び前方封止素子148は低密度ポリエチレン（LDPE）から射出成形されているが、他の機能的に等価なプラスチック材料を用いることができる。
【０２０４】
図２２Ｂ及び図２４Ｂに示される、投与室120に対する相対的な後方（休止）位置へピストン部材114を偏倚するため、流体ディスペンサ110に戻し圧縮ばね118が設けられている。ばね118を金属又はプラスチック材料から製造することができる。
【０２０５】
図２９Ａ〜Ｂに示すように、主ハウジング112は、環状つば部112bが突出している管状本体112aにより形成されている。管状本体112aは、環状肩部112dの両側に配置された前方孔区域112f及び後方孔区域112gに対して制限された孔区域112eを形成するように環状肩部112dが突出する開放型の軸線方向孔112cを有する。後方孔区域112gは投与室120を規定する。管状本体112aの前方区域112hには一対の円周ビード112iが設けられている。
【０２０６】
この実施形態では、主ハウジング112はポリプロピレン（PP）から射出成形されているが、他のプラスチック材料を用いることができる。
【０２０７】
戻しばね118が主ハウジングの環状つば部112bに作用して主ハウジング112を、図２２Ｂ及び図２４Ｂに示される相対位置まで前方へ偏倚することにより、戻しばね118の偏倚力は、主ハウジング112内で規定されている投与室120に対する相対的な後方位置にピストン部材114をリセットするように作用する。
【０２０８】
図３６Ａ〜Ｂに示すように、ニップル160が別個の円筒状キャップ165に設けられている。キャップ165は、環状側面スカート165a及び前方端壁165bを有するコップの形状をし、環状側面スカート165a及び前方端壁165bは、キャップ165の後方端部165dにおいて開口した円筒状内部室165cの境界壁を形成する。更に、ニップル160は、中央の封止先端が前方端壁165bから前方へ突出している形態をとる。
【０２０９】
また、内部室165cと連通するように封止先端160の基部を中心として複数の孔165eが前方端壁165bに形成されている。この実施形態では、等角度に隔置された三つの孔165eが存在するが、二つ以下又は四つ以上の孔も存在しうる。
【０２１０】
内部室165の内部円周側面165fには一対の円周ビード165gが設けられている。前方端壁165bの外周縁は弾性環状封止リップ165hを有する。
【０２１１】
この実施形態では、キャップ165はLDPEから形成されているが、他のプラスチック材料を用いることができる。
【０２１２】
図２４Ｂ〜Ｃに示すように、例えば、キャップ165は、主ハウジング112の前方孔区域112fを取り囲む主ハウジング112の前方区域112h上に装着されている。内部ビード165g及び外部ビード112iが互いに連結又は係合することにより、キャップ165が主ハウジング112に固着され、これにより、キャップ165及び主ハウジング112が一体となって移動する。
【０２１３】
図２４Ｂ〜Ｃに更に示すように、弁機構189は主ハウジング112の前方孔区域112f内に配置されている。弁機構189は、前方孔区域112f内で軸線方向に移動するように装着された円筒状の細長い弁素子191を備える。
【０２１４】
図３４Ａ〜Ｂに示すように、弁素子191は、円筒状前方区域191aと、同軸の広い後方区域191bとを有する。後方区域191bは、前方部分191cと、主ハウジング112の制限された孔区域112eに封止的に嵌合して孔区域112eを閉鎖するように寸法設定された切頭円錐形後方部分191dとを有する。複数の軸線方向溝191eは前方部分191cを通過して後方部分191dに部分的に延在するように後方区域191bの外周面内に形成されている。
【０２１５】
図２４Ｂ〜Ｃを再度参照すると、弁機構189は、キャップ165の前方端壁165bの内面から後方へ弁素子191の後方区域191bの前方端部の環状つば部191まで延在する戻し圧縮ばね193を更に備える。戻しばね193は、制限された孔区域112e内に切頭円錐形後方部分191dを配置して孔区域112eを封止的に閉鎖するように弁機構191を後方へ偏倚するように作用する。
【０２１６】
この実施形態では、弁素子191は低密度ポリエチレン（LDPE）から射出成形されているが、他の機能的に等価なプラスチック材料を用いることができる。戻しばね193は金属又はプラスチック材料を含むことができる。
【０２１７】
図２４Ｂ〜Ｃは、円筒状ストッパ部分176が、瓶首部178に嵌合するキャップ形態を有することも示している。この実施形態では、ストッパ部分176はポリプロピレン（PP）から射出成形されている。しかし、他のプラスチック材料を用いることができる。
【０２１８】
図３０Ａ〜Ｂも参照すると、ストッパ部分176は、瓶首部178のつば部180の外周面を取り囲む外側環状スカート176aと、同心的に配置された内側環状スカート176bとを有し、内側環状スカート176bは瓶首部178をふさぐ。外側環状スカート176aの内周面には、円周方向に向けられたビード176qが設けられ、ビード176qは、瓶首部178のつば部180の下側と係合してストッパ部分176と瓶170とをスナップ式に接続させる。ストッパ部分176の成形を簡単にするため、ビード176qを連続的にするか、又はセグメント化することができる。
【０２１９】
ストッパ部分176はその前方端部に天井176cを有し、天井176cは外側スカート176aから内側スカート176bへ半径方向内向きに延在する。内側スカート176bは、天井176c内の開口部176eから後方へ延在する内部空洞176dを取り囲む。空洞176dはその後方端部に床176fを有し、床176fから、細長い管状突出部176gが直立している。
【０２２０】
管状突出部176gは、開口した後方端部176hと、前方端壁176iと、開口した後方端部176hから前方端壁176iまで前方へ延在する内部空洞176jと、内部空洞176d，176jを流体連通させる前方端壁176i内の前方開口部176kとを有する。
【０２２１】
図２４Ｂに示すように、例えば、供給管172は締まりばめとして管状突出部176gの内部空洞176j内に挿入され、供給管176は管状突出部176gの前方端壁176iと接する。これと同様に、管状突出部176gはピストン部材114の後方区域114bの内部空洞114f内に挿入され、これにより、管状突出部176gの前方端壁176iは内部空洞114fの前方面114nと接する。このようにして、ピストン部材114の孔網114jは供給管172を介して流体供給部170と連通する。
【０２２２】
ピストン部材114の内部空洞114fがその内周面に複数の円周ビード114vを有し、円周ビード114vに、管状突出部176gの外周面に設けられた円周ビード176sが連結又は係合することにより、管状突出部176gはピストン部材114の内部空洞114fに固着されている。
【０２２３】
図２４Ｂに更に示すように、例えば、主ハウジング112とストッパ部分176との間で相対的に滑動移動を生じさせるように主ハウジング112の管状本体112aもストッパ部分176の内部空洞176dに装着されている。ストッパ部分176と主ハウジング112との間の相対的な滑動移動は、ピストン部材114と投与室120との間に相対的な滑動移動を生じさせる。その理由は、ピストン部材114がストッパ部分176の管状突出部176g上に担持されているためである。主ハウジング112を後方に移動させ、かつ流体供給部170を静止した状態に維持するか、又はその逆にするか、又は、主ハウジング112及び流体供給部170を互いの方へ同時に移動させることにより相対的な滑動移動が達成される。
【０２２４】
例えば、ストッパ部分176と流体供給部170との間に封止リング171が介在してストッパ部分176と流体供給部170との間の漏洩を防止することが図２４Ｂから分かる。
【０２２５】
流体ディスペンサ110は、主ハウジング112の管状本体112aを取り囲む円筒状担持部材195を更に備える。図３３Ａ〜Ｂに示すように、担持部材195は、主ハウジング112の管状本体112aから半径方向外向きに隔置されて担持部材195と主ハウジング112との間に環状空間187（図２４Ａ参照）を規定する環状本体195aを有する。環状本体195aは、後方端部195cにおいて内向きに突出した環状つば部195bと、外向きに突出した複数の止め具195dとを有し、止め具195dは、前方端部195eの城郭状の輪郭により規定された舌部195fに配置されている。
【０２２６】
図２４Ｂに示すように、戻しばね118は主ハウジングの環状つば部112bの後方面112jから後方へ向かい、担持部材195と主ハウジング112との間の環状空間187内に、かつ、担持部材の環状つば部195b上まで延在してその上に担持されている。
【０２２７】
流体ディスペンサ110の通常の使用中、以下に説明するように流体ディスペンサ110が休止位置及び発射位置にある時、担持部材195はストッパ部分176の天井176c上に設置される。担持部材195の通常の位置は、図２４Ｂ（休止）及び図２４Ｃ（発射）に示されている。
【０２２８】
この実施形態では、担持部材195もポリプロピレン（PP）から射出成形されているが、他のプラスチック材料を用いることができる。
【０２２９】
ストッパ部分176を示す図３０Ａ〜Ｂを再度参照すると、天井176cは、直径方向に対向する一対の主突起176nと、天井の開口部176eを中心にして等角度に配置された一連の副突起176pとを有することが分かる。担持部材195が天井176c上に設置されるように、主突起176nは、使用中、担持部材195の外周に作用して担持部材195をストッパ部分176の中心に位置付けるように構成されている。副突起176pは、担持部材195の環状つば部195b内の相補的な溝（図示せず）に嵌合して天井176c上の担持部材195を正確に方向付け、これにより、以下に説明するように、止め具195dがノズル116のT字状トラック116gに連結する。図示されていないが、変形例では、二つだけの副突起を設けることができ、各副突起は、主突起の一つから放射状に延びる拡張部分を形成する。
【０２３０】
流体ディスペンサ110は、主ハウジング112の前方区域112hに装着されたキャップ165を取り囲む管状ノズル挿入部197をも備える。図３５Ａ〜Ｂには、中空の本体197aを有するノズル挿入部197を示す。中空の本体197aはその前方端部197bに端壁197cを有し、端壁197cを通って中空の本体197aに中央孔197dが設けられている。本体197aは、前方端壁197cから後方へ延在し、かつ、前方端壁197cの周囲に後方端部すなわち外周ビード197pを有する第１環状区域197eを備える。ノズル挿入部の本体197aの後方端部197fには、後方に延在する相隔たる複数の脚197gが設けられている。この実施形態では、四つの脚197gが存在する。脚197gは、本体197aへの後方開口部197hを中心として本体197a上に円周方向に配置されている。各脚197gは、外向きに延在する足部197iを備える。
【０２３１】
ノズル挿入部の本体197aは、第１環状区域197eの後方へ隔置され、かつ、脚197gが依存する第２環状区域197jを更に備える。第１環状区域197e及び第２環状区域197jは、隔置された複数の弾性リブ197kにより互いに結合されている。弾性リブ197kは本体197aの外周に配置され、第１環状区域197eと第２環状区域197jとの間の斜め経路上に延在している。
【０２３２】
第２環状区域197jは、前方へ向けられ、かつ直径方向に対向する一対の弾性舌部197lを有する。舌部197lはリブ197間に配置されている。
【０２３３】
前方端壁197cの前方面上には、中央孔197dを中心として環状リップ197mが設けられている。更に、前方端壁197cには、その中を通って孔197nが設けられている。
【０２３４】
この実施形態では、ノズル挿入部197はポリプロピレン（PP）から射出成形されているが、当業者に明らかなように他のプラスチック材料から製造することができる。
【０２３５】
図２４Ｂ〜Ｃは、キャップ165の封止先端160がノズル挿入部197の前方端壁197c内の中央孔197dを介して突出するようにノズル挿入部197がキャップ165を中心として流体ディスペンサ110内に配置されていることを示している。更に、キャップ165の封止リップ165hはノズル挿入部197の第１環状区域197eの内周面と封止的に滑動係合する。
【０２３６】
ノズル挿入部197とキャップ165との間の環状空間は流体分配室146を規定する。
【０２３７】
図３６Ａ〜Ｂから、外向きに突出した環状つば部165iがキャップ165に設けられていることが分かる。図３５Ａ〜Ｂ及び図２４Ｂを更に参照することにより分かるように、組立て中、キャップ165がノズル挿入部197に挿入されると、つば部165iはノズル挿入部197の弾性舌部197lを押しのけてノズル挿入部197の第１環状区域197eと第２環状区域197jとの間の空間に保持される。
【０２３８】
キャップ165の封止先端160には、封止部材154が装着されている。封止部材154は封止先端160に滑動可能に封止装着され、ノズル挿入部197の環状リップ197mに設置されている。封止部材154の長手方向面と封止先端160との間に形成される封止は、その間を流体が通過できないようにする。
【０２３９】
封止部材154はゴム又は熱可塑性エラストマ（TPE）から製造されているが、封止部材154を元の状態に戻す「復元力」を有する他の弾性材料を用いることができる。
【０２４０】
図２２及び図２３に示すように、ノズル116の後方へ向けられた一対のランナ116aがストッパ部分176の外周上の相補的なトラック176mに係合することにより、ノズル116はストッパ部分176に滑動可能に接続されている。ランナ116aには、外向きに延在する止め具116bが設けられてトラック176m内にランナ116aを固着し、ノズル116とストッパ部分176との間の最大滑動距離を限界付ける。
【０２４１】
図３１Ａ〜Ｂに更に示すように、ノズル116は、人間の鼻孔に挿入されるように寸法設定され形作られ流体排出口152が形成されたノズル区域116cと、ノズル区域116cの後方端部に設けられランナ116aが依存する肩部116dとを有する。
【０２４２】
ノズル区域116cは、後方開口端部116fを有する内部空洞116eを取り囲んでいる。また、内部空洞116eの内面は、内部空洞116eの両側に位置する一対のT字状トラック116gを有し、T字状トラック116gの長手方向区域には、担持部材195をノズル116に固着し担持部材195とノズル116との間で滑動移動を生じさせるように担持部材195の止め具195dが連結されている。更に、T字状トラック116gの横棒区域の各隅部でノズル挿入部197の足部197iの一つが連結されてノズル挿入部197をノズル116の内部空洞内に固定する。これらの接続は、図２２Ａ〜Ｃで最も良く分かる。
【０２４３】
ノズル挿入部197の弾性リブ197kは、ノズル挿入部197をノズル116に挿入し、その後、第２環状区域197jを圧縮させるばねとして作用し、これにより、足部197iはT字状トラック116g内に固定する。その後、ノズル挿入部197はノズル116内に拘束される。更に、第１環状区域197aは、ノズルの内部空洞116eの隣接する内面に対して流体密封を形成して、流体分配室146から液体が漏洩しないようにする。
【０２４４】
図３２に示すように、渦室153は、ノズルの内部空洞116eの前方端壁116i内に形成されている。渦室153は、円筒状中央室153aと、中央室153aと接線関係を持ち、中央室153aを中心として等しく隔置された複数の送込路153bとを備える。中央室153aの中心には、渦室153を流体排出口152に接続する通路153c（出口）が存在する。送込路153bは、100〜250ミクロンの範囲内、例えば、（包含的な）150〜225ミクロンの範囲内にある深さを有することができる。
【０２４５】
図２５から分かるように、封止部材154の側面154dとノズル116の内部空洞116eの隣接する面との間には空隙が、孔197n並びに、封止部材154とノズル挿入部197の前方開口部197dとの間の空隙を介して流体分配室146と流体連通するように存在する。
【０２４６】
しかし、図２５に端的に示すように、可撓性封止部材154の前方面154cはノズル116の前方端壁116iと封止的に係合してノズル挿入部197により保持されている。このことは、封止部材154が渦室の送込路153bを封止すること、並びに、封止部材154の側面154dとノズル116との間の空隙を上昇していく液体のいずれも、渦室の送込路153bに流入する必要があることを意味する。
【０２４７】
更に、戻しばね118は、主ハウジング112をノズル116内に前方へ偏倚するように作用して、これにより、主ハウジング112の前方区域112h上に固定されたキャップ165上の封止先端160は封止部材154の前方面154cの中央部分を渦室153の中央室153aに押し込んで流体排出口152への通路153cを封止的に閉鎖する。このように、封止先端160が弾性封止部材154の中央部分を解放するまで、いかなる流体も流体排出口152を出入りすることができない。このことは以下に詳細に説明する。
【０２４８】
変形例では、渦室153の中央室153aの真直ぐな壁に面取りをして、封止部材154の中央部分を中央室153aに押し込みやすくすることができる。このことは図３８に示されており、面取りをした面は符号153dにより示されている。
【０２４９】
この実施形態において、ノズル116はポリプロピレン（PP）から射出成形されているが、他のプラスチック材料を用いることができる。
【０２５０】
流体ディスペンサ110を動作するため、流体排出口152と流体供給部170との間のすべての流体経路を充填する事前準備を装置に行うことが最初に必要である。事前準備を行うため、流体ディスペンサ110は、その後の分配動作と全く同じように動作される。図２２Ｂ〜Ｃ及び図２４Ｂ〜Ｃに示すように、このことは、（i）ノズル116又は流体供給部170の一方を静止したままでノズル116又は流体供給部170の他方に作用するか、或いはその両方に作用して休止位置（図２２Ｂ及び図２４Ｂ）から発射位置（図２２Ｃ及び図２４Ｃ）へ流体ディスペンサを移動させることにより、ノズル116を流体供給部170に向かって相対的に滑動させ、（ii）戻しばね118にノズル116を流体供給部170との相対的な分離位置に戻させて流体ディスペンサ110を休止位置に戻させることにより行われる。ノズル116及び流体供給部170の相対的な滑動移動は、ノズル116のランナ116aが、流体供給部170の首部178に固定されたストッパ部分176のトラック176m内で滑動することにより達成される。
【０２５１】
図２２〜図３６の流体ディスペンサ110のわずかな変更の例（しかし、機能的に等価な例）である流体ディスペンサ310の場合ではあるが、図３７Ａ〜Ｊには、事前準備の処理と事前準備中の液体の流れとを示す。図中、類似の機構には、同様な符号が示されている。流体ディスペンサ110の説明の後に図３７Ａ〜Ｊの流体ディスペンサ310が詳細に説明されることになるが、図３７Ａ〜Ｊは、次に説明する流体ディスペンサ110の事前準備に関する詳細な説明の参考になりうる。
【０２５２】
ノズル116と流体供給部170との間の前述した滑動移動の全（往復）サイクル（「ポンプサイクル」）の各々は投与室120に負圧を生じさせ、これにより、液体が流体供給部170から流体排出口152までの流体経路のすべてを充填するまで流体供給部170から液体を供給管172に引き上げる。
【０２５３】
より詳細には、液体は供給管172を通じて前方へ向かい、ピストン部材114の後方開口部114mを通じてピストン部材114の孔網114j内へ流入し、その後、孔網114jの前方開口部114qから流出し、ピストン部材114の外周に位置する軸線方向溝114rを通じて投与室120の後方区域120bへ流れ込む（図３７Ａ〜Ｃ参照）。
【０２５４】
前述したように、ノズル116及び流体供給部170がそれぞれ主ハウジング112及びピストン部材114を運搬する結果として、ノズル116及び流体供給部170の相対移動の各往復サイクルは、主ハウジング112により規定された投与室120内の後方（休止）位置からピストン部材114を各サイクルに対応して往復的にストロークさせる。
【０２５５】
ピストン部材114が前方位置から休止の後方位置へ戻る間、すなわち、各サイクルの後半の間、投与室120に負圧が生じて液体を更に前方へ引き上げる。更に、ピストン部材114は、前方封止素子148に対して相対的に後方へ移動して、前述したように一方向弁を開放し、その後、一方向弁から液体を前方へ向け、投与室の前方区域120a内へ流し込ませる（図３７Ｄ〜Ｇ参照）。
【０２５６】
特に、ピストン部材114の環状つば部114iが前方封止素子148における孔149の中央孔室149cの前方端壁149dから係合解除する間、一方向弁の後方における液体は前方封止素子148の窓149fを通じてピストン部材114のつば部114iの周りに流入し、ピストン部材114の先端部分114uを越え、前方封止素子148の前方孔区域149aを通じて投与室120の前方区域120a内へ流れ込むことができる。
【０２５７】
充分な事前準備サイクルを用いて流体ディスペンサの事前準備を行うことにより、（前方区域120aを含む）投与室120が液体で充填された後、各サイクルは、同じ量（計量体積）の液体を、投与室120から主ハウジング112内の制限された孔区域112eを通じて前方へ送り出させる。
【０２５８】
より詳細には、投与室120内の前方位置までピストン部材114を前方へストロークする場合、前方封止素子148が投与室の前方区域120aの内面と封止的に係合するようになるまで、前方孔区域112f内の弁機構189は、制限された孔区域112eを閉鎖しておく。その理由は、前方封止素子148が投与室の前方区域120a内で封止的に滑動係合して投与室の前方区域120aと後方区域120bとを封止的に分離する前に、弁戻しばね193の偏倚力が、ピストン部材114の前方ストロークの初期（第１）段階で生じる液体の水圧に打ち勝てないためである。
【０２５９】
この第１段階を「流出段階」と称することができる。その理由は、ピストン部材114が前方封止素子148を投与室の前方区域120a内に位置付けるまで、液体が投与室120から後方へ流体供給部170内に送り返される（すなわち、流出される）からである。
【０２６０】
前方封止素子148が投与室の前方区域120a内に位置付けられた後、投与室の前方区域120a並びに、前方区域120aを充填する液体は封止される。
【０２６１】
ピストン部材114の連続的な前方ストロークの次の（第２）段階では、ピストン部材114が、主ハウジング112の管状肩部112dにより形成された投与室の前方区域120aの前方端壁120cに向かって相対的に移動する間、ピストン部材114は投与室の前方区域120a内の液体の水圧を増加させる。言い換えれば、ピストン部材114と投与室120の前方端壁120cとの間の距離が減少する間、液体は圧縮される。その理由は、弁機構189の戻しばね193の偏倚力が、弁素子191の切頭円錐形後方部分191dにおける液体により加えられる増加の水圧にこの場合も抵抗するためである。
【０２６２】
しかし、ピストン部材114の前方ストローク中の特定地点では、投与室の前方区域120a内の液体の水圧は、弁機構189の戻しばね193の偏倚力よりも大きいレベルにあり、これにより、弁素子191は、（「弁座」として機能する）制限された孔区域112eとの封止的な係合から離される。このことは、ピストン部材114の前方ストロークの最終（第３）段階の始まりであり、この最終段階は、前方封止素子148の前方端部148cが投与室120の前方端壁120cと接することにより限界付けられた前方位置にピストン部材114が到達した時に終了する。この最終段階では、戻しばね193が、制限された孔区域112eとの封止的な係合状態に弁部材191を戻すことにより弁機構189が再閉鎖される前に、制限された孔区域112eから計量体積の液体が分配されて弁部材191の溝191eに沿って主ハウジング112の前方孔区域112f内へ搬送される（図３７Ｈ参照）。
【０２６３】
この最終（第３）段階でのみ弁機構189は開放され、他のすべての時点で閉鎖されたままである。
【０２６４】
第２及び第３段階を集合的に「分配段階」と見なすことができる。
【０２６５】
投与室120内のピストン部材114の戻りの後方ストロークの初期（第１）段階では、ピストン部材114は投与室120に対するだけでなく、前述したように一方向弁を開放するために前方封止素子148に対しても相対的に後方へ移動する。更に、負圧（又は真空）は、後方へ移動しているピストン部材114の前方における投与室の前方区域120aに形成されるヘッドスペースに生じる。前方封止素子148が投与室の前方区域120aから係合解除して投与室の後方区域120bに入るまで、この負圧は、より多くの液体を流体供給部170から引き出し、開放された一方向弁を通じて投与室の前方区域120a内に引き込む（図３７Ｉ参照）。戻りのストロークの初期段階中に一方向弁を開放することにより、ピストン部材114の前方におけるハイドロリックロックの発生を回避する。そうでなければ、ハイドロリックロックは戻りのストロークを阻止又は抑制するおそれがある。
【０２６６】
ピストン部材114の後方ストロークの最終（第２）段階では、ピストン部材114は、前方封止素子148が投与室の後方区域120bに配置されたばかりの中間位置から後方位置へ移動する。この最終段階では、開放された一方弁を経由する他に、液体を投与室の後方区域120bから、前方封止素子148の外側を取り囲む投与室の前方区域120a内へ直接に引き込むことができる。
【０２６７】
戻りの後方ストロークの終了時に投与室120は液体で充填される。したがって、戻りのストロークを「充填段階」と称することができる。
【０２６８】
これに続くピストン部材114の移動の各サイクルでは、前方ストロークは計量体積の別の液体を、制限された孔区域112eから放出させ、その一方で、後方ストロークは投与室120の前方区域120aを再充填するため、計量体積の別の液体を流体供給部170から引き出す。
【０２６９】
事前準備の間、このようなその後のポンプサイクルは、液体が投与室120から流体排出口152までの流体流路を充填するまで継続する（図３７Ｉ参照）。これに関して、制限された孔区域112eを通過した液体は、主ハウジング112の前方孔区域112fを通って、主ハウジング112の前方端部に装着されたキャップ165の前方端壁165bの孔165eから流体分配室146内へ流入し、その後、キャップ165を取り囲むようにノズル116の内側に嵌め込まれたノズル挿入部197の孔197nを通過することにより、封止部材154を取り囲む空間へ流れ込む。
【０２７０】
液体が流体供給部170から流体排出口152までの流体経路を充填すると、次のポンプサイクル中、ピストン部材114が投与室120に対して前方へ相対的にストロークすることにより、制限された孔区域112eから計量体積の別の液体を送り出し、これにより、制限された孔区域112eの下流に保留のままになっている液体に圧力を加える。流体分配室146内のこの圧力は戻しばね118の戻り力に抗してノズル挿入部197内のキャップ165（及び主ハウジング112）を後方へ滑動移動させ、これにより、封止先端160は封止部材154内で後方へ封止的に滑動する。その結果、封止部材154の弾性は封止部材154の前方面154cの中央部分を平坦化して元の状態に戻し、渦室153の中央室153a及び通路153cを開放する。したがって、この前方ストローク中に、計量体積の液体は、液体を噴霧するために渦室153を通って流体排出口152から送り出されて、制限された孔区域112eから送り出された計量体積の場所を空ける（図３７Ｊ参照）。
【０２７１】
封止先端160の長手方向の両側と封止部材154との封止は、封止先端160が配置された封止部材空洞154e（図２５）内に水圧下の液体が入らないようにし、封止先端160により解放された時に元の状態に戻る封止部材154の前方面154cの中央部分に対抗するように作用しないようにする。
【０２７２】
戻り力が流体分配室146内の水圧よりも大きくなった後、戻しばね118の戻り力は主ハウジング112をノズル挿入部197内の通常の休止位置に（前方へ）戻し、これにより、封止先端160は封止部材154を偏向させて流体排出口152を（再）閉鎖する。
【０２７３】
したがって、流体ディスペンサ110が分配中（すなわち、流体ディスペンサ110が発射される時）にだけ流体排出口152が開放されるので、封止部材154は、流体排出口152から侵入する装置110の外部の汚染物質による汚染から流体ディスペンサ110内の液体を保護する。
【０２７４】
同じポンプサイクル中の後方ストロークは、液体供給部170から計量体積の別の液体を引き出して投与室120を充填し、次のポンプサイクルの準備を整える。
【０２７５】
現時点で装置の事前準備は充分であり、その後、各ポンプサイクルにより、流体供給部170が空になるまで一定の計量体積の液体を流体排出口152から送り出す。
【０２７６】
制限された孔区域112eが、前方ストロークの分配段階を除いて弁機構189により封止的に閉鎖されているので、投与室120と流体排出口152との間の経路に保留のままになっている液体が逆流しないように流体ディスペンサ110が構成されていることは明らかである。したがって、装置の事前準備を再度行う必要性が回避されるか、又は、かなり軽減される。更に、封止部材154及び封止先端160により形成された先端封止構成と、弁機構189とは、充填段階中に投与室120内で生じる負圧（例えば真空）により周囲空気が流体排出口152を通って流体ディスペンサ110内に引き込まれることを阻止する。
【０２７７】
流体ディスペンサ110の事前準備中、液体よりも上にあるヘッドスペース内の空気（及び、他に何らかの気体）が、液体に関して前述した機構と同じ機構により流体排出口152から外部へ送り出されることに特に留意されたい。
【０２７８】
図２２Ａ及び図２４Ａには、開放（完全に拡張された）位置に位置する流体ディスペンサ110を示す。ノズル116（及び、それに取り付けられた構成要素）は、瓶170（及び、それに取り付けられた構成要素）から、図２２Ｂ及び図２４Ｂに示された休止位置の場合よりも更に遠くに隔置されている。特に、休止位置では、担持部材195はストッパ部分176の天井176c上に、又はそれに極めて接近して設置されているが、開放位置では、担持部材195はストッパ部分の天井176cから隔置されている。図２４Ａに示すように、開放位置では、ノズル116のランナ116aの止め具116bはストッパ部分176のトラック176mに対する相対的な最前方位置にある。これに比べて、図２４Ｂにも示すように休止位置では止め具116bは最前方位置の後方へ隔置されている。ノズル116及び瓶170を通常の休止位置から更に離間することができる機能は、流体ディスペンサが落とされたり衝撃を受けたりした場合に破損から流体ディスペンサを保護する。
【０２７９】
次に、流体ディスペンサ110に用いることができる代替の封止構成を以下に説明する。図中、使用される同様な符号は、図２２〜図３６の封止構成における同様な部分及び機構を示す。
【０２８０】
図３９では、流体ディスペンサ110に用いることができる第１の代替の先端封止構成を示す。図３９では、封止先端160’及び封止部材154’は、図２２〜図３６の流体ディスペンサ110の対応部分と比較して異なる形状を有するが、これら対応部分と同じように機能する。キャップ160及び封止部材154’は、図２２〜図３６の流体ディスペンサ110に関して説明された材料と同じ材料を含む。
【０２８１】
図４０及び図４１Ａ〜Ｂでは、流体ディスペンサ110に用いることができる第２の代替の先端封止構成を示す。この代替例では、キャップ165”、封止部材154”及びノズル挿入部197”は、図２２〜図３６の流体ディスペンサ110の対応部分と異なる形状を有するが、この場合もこれら対応部分と同じように機能し、同じ材料から製造されている。しかし、この例の先端封止構成では、戻しばね118はキャップ165”をノズル挿入部197”と接するように偏倚して、封止部材154”に対する封止先端160”の相対位置を制御し、これにより、封止先端160”により封止部材154”に加えられる余分な力から封止部材154”を保護する。
【０２８２】
図４２では、流体ディスペンサ110に用いる異なるタイプの封止構成を示し、図４３〜図４６には、この封止構成に用いる構成要素を示す。
【０２８３】
弾性封止部材154の代わりに、プラスチック材料から製造された環状バッキングプレート254（図４４Ａ〜Ｂ）が設けられている。この実施形態では、バッキングプレートはポリプロピレン（PP）から射出成形されている。バッキングプレート254の前方面254cは渦室の送込路153bを封止するためにノズル116の前方端壁116iと封止的に係合して、変更されたノズル挿入部297（図４５Ａ〜Ｂ）により保持され、これにより、バッキングプレート254の側面254dとノズル116との間の空隙を上昇してくるいかなる液体も、渦室の送込路153b内に流入しなければならない。
【０２８４】
封止ピン255の前方封止区域255aがバッキングプレート254の貫通孔254nを通って渦室153の中央室153a内へ突出して通路153cを封止的に閉鎖するようにノズル挿入部297上に封止ピン255（図４３Ａ〜Ｂ）が設置されている。したがって、封止ピン255は、弾性封止部材154に類似するように機能する。
【０２８５】
図４２に示すように、封止ピン255は、テーパー形状を有する広い後方端部255bを有し、後方端部255bは、変更されたキャップ265（図４６Ａ〜Ｂ）の前方端壁265bの貫通孔265n内に閉じ込められ、これにより、封止ピン255は、キャップ265が固定された主ハウジング112と一体となって移動する。
【０２８６】
したがって、戻しばね118が主ハウジング112に作用して封止ピン255を渦室の通路153cと封止的に係合するように偏倚することは明らかである。更に、投与室120内におけるピストン部材114の前方ストロークの分配段階中、流体分配室146に生じる水圧は、戻しばね力に抗してキャップ265を後方へ移動させ、その際に封止ピン255を後方へ移動し、これにより、渦室の通路153cを開放して計量体積の液体を解放する。
【０２８７】
封止ピン255には環状前方つば部255c及び環状後方つば部255dが設けられていることが分かる。後方つば部255dは、キャップの貫通孔265nへ封止ピン255を挿入するのに限界を付ける。前方つば部255cはバッキングプレート254の後方面を封止する。
【０２８８】
主ハウジング112内の弁機構189の弁素子191は、封止ピン255を収容する長さに短縮されていることが更に分かる。
【０２８９】
この実施形態では、封止ピン255は、低密度ポリエチレン（LDPE）又は高密度ポリエチレン（HDPE）から射出成形されているが、他の機能的に等価なプラスチック材料を用いることができる。
【０２９０】
変更されたキャップ265及び変更されたノズル挿入部297は、図２２〜図３６の流体ディスペンサ110の対応部分に関して説明した材料と同じ材料から製造されている。変更されたノズル挿入部297は、他の図示されたノズル挿入部197，197’，197”の場合のように城郭状の前方端壁297cも有することができる。
【０２９１】
次に、図３７Ａ〜Ｊに示す流体ディスペンサ310を参照すると、流体ディスペンサ310は、図２２〜図３６の流体ディスペンサ110と同じように機能する。封止先端360、封止部材354、前方封止素子328及びストッパ部分376は、流体ディスペンサ110の対応部分に対してわずかに異なる構造を有する。しかし、流体ディスペンサ310において、戻しばね318に用いる担持部材がないことは最も顕著である。環状保持壁376tがストッパ部分376の天井376cから前方へ突出していることが図３７Ａから分かる。図３７Ａに更に示すように、戻しばね318はストッパ部分の天井376c上で担持され、環状保持壁376tと主ハウジング312との間に形成された空隙を通って主ハウジング312の環状つば部312bまで前方へ延在している。したがって、流体ディスペンサ310は、流体ディスペンサ110のように流体ディスペンサが落とされたり衝撃を受けたりした場合の破損からの保護を改善する開放位置を持たないことが分かる。
【０２９２】
例示的な実施形態では、流体ディスペンサ10，110などの流体排出口52，152などの封止構成は、微生物及び他の汚染物質が流体排出口52，152などからディスペンサ10，110などに、したがって投与室20，120などに、最終的には流体の瓶／貯蔵部に侵入することを防止又は阻止する作用をする。これにより、流体が例えば鼻腔内投与用の液体薬剤製剤である場合、製剤に防腐剤を含有させないことができ、それどころか、場合によっては防腐剤を節約する製剤とすることができる。更に、ディスペンサ10，110などが作動の合間の休止構成にある場合、封止は、投与室内に保留のままになっている流体の投与量が供給部又は貯蔵部へ逆流しないように作用する。このことは、次に使用するためにディスペンサ10を事前準備する必要性を回避又は減少させる（この場合、投与室20，120などを充填するため、事前準備は、最初の使用の後ではなく、全く始めての使用の時のみに必要とされるのが効果的である）。
【０２９３】
軽度、中等度又は重症急性の症状、若しくは慢性症状を治療するための、又は予防的治療のための液体薬剤製剤を分配するのに本発明の流体ディスペンサを用いることができる。正確な投与量は、患者の年齢及び疾患と、用いられる特定の薬剤と、投与の頻度とに左右され、最終的には主治医の判断による。薬剤の組合わせが用いられる場合、組合わせの各成分の投与量は、単独で用いられる場合に各成分に対して用いられる投与量であるのが一般的である。
【０２９４】
製剤として使用する適切な薬剤を、例えば、コデイン、ジヒドロモルヒネ、エルゴタミン、フェンタニル又はモルヒネのような鎮痛薬と、ジルチアゼムのような狭心症製剤と、クロモグリク酸（例えばナトリウム塩として）、ケトチフェン又はネドクロミル（例えばナトリウム塩として）のような抗アレルギー剤と、セファロスポリン、ペニシリン、ストレプトマイシン、スルホンアミド、テトラサイクリン及びペンタミジンのような抗感染症薬と、メタピリレンのような抗ヒスタミン剤と、ベクロメタゾン（例えばジプロピオン酸エステルとして）、フルチカゾン（例えばプロピオン酸エステルとして）、フルニソリド、ブデソニド、ロフレポニド、モメタゾン（例えばフロ酸エステルとして）、シクレソニド、トリアムシノロン（例えばアセトニドとして）、6α，9α−ジフルオロ−11β−ヒドロキシ−16α−メチル−3−オキソ−17α−プロピオニルオキシ−アンドロスタ−1，4−ジエン−17β−カルボチオ酸S−（2−オキソ−テトラヒドロ−フラン−3−イル）エステル又は6α，9α−ジフルオロ−17α−［（2−フラニルカルボニル）オキシ］−11β−ヒドロキシ−16α−メチル−3−オキソ−アンドロスタ−1，4−ジエン−17β−カルボチオ酸S−フルオロメチルエステルのような抗炎症薬と、ノスカピンのような鎮咳薬と、アルブテロール（例えば遊離塩基又は硫酸塩として）、サルメテロール（例えばキシナホ酸塩として）、エフェドリン、アドレナリン、フェノテロール（例えば臭化水素酸塩として）、ホルモテロール（例えばフマル酸塩として）、イソプレナリン、メタプロテレノール、フェニレフリン、フェニルプロパノールアミン、ピルブテロール（例えば酢酸塩として）、レプロテロール（例えば塩酸塩として）、リミテロール、テルブタリン（例えば硫酸塩として）、イソエタリン、ツロブテロール又は4−ヒドロキシ−7−［2−［［2−［［3−（2−フェニルエトキシ）プロピル］スルホニル］エチル］アミノ］エチル−2（3H）−ベンゾチアゾロンのような気管支拡張薬と、シロミラスト又はロフルミラストのようなPDE4阻害剤と、モンテルカスト、プランルカスト及びザフィルルカストのようなロイコトリエン拮抗剤と、［アデノシン2a作動薬、例えば、2R，3R，4S，5R）−2−［6−アミノ−2−（1S−ヒドロキシメチル−2−フェニル−エチルアミノ）−プリン−9−イル］−5−（2−エチル−2H−テトラゾール−5−イル）−テトラヒドロ−フラン−3，4−ジオール（例えばマレイン酸塩として）］＊と、［α4インテグリン阻害剤、例えば、（2S）−3−［4−（｛［4−（アミノカルボニル）−1−ピペリジニル］カルボニル｝オキシ）フェニル］−2−［（（2S）−4−メチル−2−｛［2−（2−メチルフェノキシ）アセチル］アミノ｝ペンタノイル）アミノ］プロパン酸（例えば遊離酸又はカリウム塩として）］＊と、アミロリドのような利尿剤と、イプラトロピウム（例えば臭化物として）、チオトロピウム、アトロピン又はオキシトロピウムのような抗コリン作用薬と、コルチゾン、ヒドロコルチゾン又はプレドニゾロンのようなホルモンと、アミノフィリン、コリンテオフィリナネート、リジンテオフィリネート又はテオフィリンのようなキサンチンと、インスリン又はグルカゴンのような治療用タンパク質及びペプチドとから選択することができる。適切な場合には、薬剤を塩の形態で（例えばアルカリ金属或いはアミン塩又は酸付加塩として）、又はエステル（例えば低級アルキルエステル）として、或いは溶媒和物（例えば水和物）として用いて、薬剤の活性及び／又は安定性を最適化し、又は、噴射剤での薬剤の溶解度を最小限度に抑え、或いはその両方を行うことができることは当業者に明らかである。
【０２９５】
好ましくは、薬剤は、喘息及び鼻炎のような炎症障害又は疾患を治療するための抗炎症化合物である。
【０２９６】
一側面では、薬剤は、抗炎症特性を有するグルココルチコイド化合物である。一つの適切なグルココルチコイド化合物の化学名は6α，9α−ジフルオロ−17α−（1−オキソプロポキシ）−11β−ヒドロキシ−16α−メチル−3−オキソ−アンドロスタ−1，4−ジエン−17β−カルボチオ酸S−フルオロメチルエステル（プロピオン酸フルチカゾン）である。他の適切なグルココルチコイド化合物の化学名は6α，9α−ジフルオロ−17α−［（2−フラニルカルボニル）オキシ］−11β−ヒドロキシ−16α−メチル−3−オキソ−アンドロスタ−1，4−ジエン−17β−カルボチオ酸S−フルオロメチルエステルである。更に適切なグルココルチコイド化合物の化学名は6α，9α−ジフルオロ−11β−ヒドロキシ−16α−メチル−17α−［（4−メチル−1，3−チアゾール−5−カルボニル）オキシ］−3−オキソ−アンドロスタ−1，4−ジエン−17β−カルボチオ酸S−フルオロメチルエステルである。
【０２９７】
他の適切な抗炎症化合物はNSAID、例えばPDE4阻害剤、ロイコトリエン拮抗剤、iNOS阻害剤、トリプターゼ及びエラスターゼ阻害剤、β2インテグリン拮抗剤、並びにアデノシン2a作動薬を含む。
【０２９８】
製剤に含めることができる他の薬剤は、6−（｛3−［（ジメチルアミノ）カルボニル］フェニル｝スルホニル）−8−メチル−4−｛［3−（メチルオキシ）フェニル］アミノ｝−3−キノリンカルボキサミド、6a，9a−ジフルオロ−11b−ヒドロキシ−16a−メチル−17a−（1−メチルシクロプロピルカルボニル）オキシ−3−オキソ−アンドロスタ−1，4−ジエン−17b−カルボチオ酸S−フルオロメチルエステル、6a，9a−ジフルオロ−11i−ヒドロキシ−16a−メチル−3−オキソ−17a−（2，2，3，3，−テトラメチルシクロプロピルカルボニル）オキシ−アンドロスタ−1，4−ジエン−17i−カルボチオ酸S−シアノメチルエステル、1−｛［3−（4−｛［4−［5−フルオロ−2−（メチルオキシ）フェニル］−2−ヒドロキシ−4−メチル−2−（トリフルオロメチル）ペンチル］アミノ−6−メチル−1H−インダゾール−1−イル）フェニル］カルボニル｝−D−プロリンアミド、及び、2007年4月18日に出願の国際出願ＰＣＴ／ＥＰ２００７／０５３７７３号において例24、特に例24Cに開示された化合物である。
【０２９９】
本明細書における流体ディスペンサは、鼻炎、例えば季節性鼻炎及び通年性鼻炎のような鼻道の炎症疾患及び／又はアレルギー疾患や、喘息、COPD及び皮膚炎のような他の局所的炎症疾患を治療するための流体薬剤製剤を分配するのに適する。
【０３００】
適切な投与方法は、鼻腔がきれいにされた後で患者に鼻からゆっくり吸入させる。吸入中、一方の鼻孔に製剤が適用されている間、他方の鼻孔は手で押圧されている。その後、他方の鼻孔に対して、この処置が繰り返される。1日3回まで、理想的には1日1回、上記の処置によって、鼻孔ごとに1回又は2回の吸入を行うのが一般的である。例えば、1回の投与は、5μg、50μg、100μg、200μg又は250μgの活性薬剤を供給することができる。正確な投与量は当業者によって既知であるか、又は容易に確認しうるものである。
【０３０１】
本明細書においてパラメータ又は特性に関連して用いられた「約」、「およそ」、「ほぼ」などのような用語はすべて、厳密なパラメータ又は特性はもちろんそこからの多少のずれをも含むことが意図されている。
【０３０２】
前述した本発明の実施形態は一例にすぎない。特許請求の範囲及び課題を解決するための手段に定義された本発明の範囲内で詳細な変更を行うことができる。
【図１】
2009538790.tif 000004
【図２】
2009538790.tif 000005
【図３】
2009538790.tif 000006
【図４】
2009538790.tif 000007
【図５】
2009538790.tif 000008
【図６】
2009538790.tif 000009
【図７】
2009538790.tif 000010
【図８】
2009538790.tif 000011
【図９】
2009538790.tif 000012
【図１０】
2009538790.tif 000013
【図１１】
2009538790.tif 000014
【図１２】
2009538790.tif 000015
【図１３】
2009538790.tif 000016
【図１４】
2009538790.tif 000017
【図１５】
2009538790.tif 000018
【図１６】
2009538790.tif 000019
【図１７】
2009538790.tif 000020
【図１８】
2009538790.tif 000021
【図１９】
2009538790.tif 000022
【図２０】
2009538790.tif 000023
【図２１】
2009538790.tif 000024
【図２２Ａ】
2009538790.tif 000025
【図２２Ｂ】
2009538790.tif 000026
【図２２Ｃ】
2009538790.tif 000027
【図２３Ａ】
2009538790.tif 000028
【図２３Ｂ】
2009538790.tif 000029
【図２３Ｃ】
2009538790.tif 000030
【図２４Ａ】
2009538790.tif 000031
【図２４Ｂ】
2009538790.tif 000032
【図２４Ｃ】
2009538790.tif 000033
【図２５】
2009538790.tif 000034
【図２６Ａ】
2009538790.tif 000035
【図２６Ｂ】
2009538790.tif 000036
【図２７Ａ】
2009538790.tif 000037
【図２７Ｂ】
2009538790.tif 000038
【図２８Ａ】
2009538790.tif 000039
【図２８Ｂ】
2009538790.tif 000040
【図２９Ａ】
2009538790.tif 000041
【図２９Ｂ】
2009538790.tif 000042
【図３０Ａ】
2009538790.tif 000043
【図３０Ｂ】
2009538790.tif 000044
【図３１Ａ】
2009538790.tif 000045
【図３１Ｂ】
2009538790.tif 000046
【図３２】
2009538790.tif 000047
【図３３Ａ】
2009538790.tif 000048
【図３３Ｂ】
2009538790.tif 000049
【図３４Ａ】
2009538790.tif 000050
【図３４Ｂ】
2009538790.tif 000051
【図３５Ａ】
2009538790.tif 000052
【図３５Ｂ】
2009538790.tif 000053
【図３６Ａ】
2009538790.tif 000054
【図３６Ｂ】
2009538790.tif 000055
【図３７Ａ】
2009538790.tif 000056
【図３７Ｂ】
2009538790.tif 000057
【図３７Ｃ】
2009538790.tif 000058
【図３７Ｄ】
2009538790.tif 000059
【図３７Ｅ】
2009538790.tif 000060
【図３７Ｆ】
2009538790.tif 000061
【図３７Ｇ】
2009538790.tif 000062
【図３７Ｈ】
2009538790.tif 000063
【図３７Ｉ】
2009538790.tif 000064
【図３７Ｊ】
2009538790.tif 000065
【図３８】
2009538790.tif 000066
【図３９】
2009538790.tif 000067
【図４０】
2009538790.tif 000068
【図４１Ａ】
2009538790.tif 000069
【図４１Ｂ】
2009538790.tif 000070
【図４２】
2009538790.tif 000071
【図４３Ａ】
2009538790.tif 000072
【図４３Ｂ】
2009538790.tif 000073
【図４４Ａ】
2009538790.tif 000074
【図４４Ｂ】
2009538790.tif 000075
【図４５Ａ】
2009538790.tif 000076
【図４５Ｂ】
2009538790.tif 000077
【図４６Ａ】
2009538790.tif 000078
【図４６Ｂ】
2009538790.tif 000079
【国際調査報告】
2009538790.tif 000080
2009538790.tif 000081
2009538790.tif 000082
2009538790.tif 000083
2009538790.tif 000084
2009538790.tif 000085
2009538790.tif 000086